(57)【特許請求の範囲】
【請求項１】
利用者の情報端末との間で、通信回線を介して情報の送受信を可能とする、歯の寿命診断支援サーバであって、
前記情報端末に対して、入力画面を表示する、入力画面生成手段と、
前記情報端末に対して、評価画面を表示する、評価画面生成手段と、を有し、
前記入力画面には、
複数段階に区分された悪化レベルに対応する受診者の歯の本数を入力する本数入力欄、が含まれ、
前記評価画面には、
前記本数入力欄に入力された本数に基づいて予め定められた計算式により算出される歯の寿命進行レベルを表示する寿命進行レベル表示欄、
前記受診者の歯の寿命進行レベルに基づいて求められる歯の年齢を表示する、歯の年齢表示欄が含まれ、
前記歯の年齢は、厚生労働省の「歯科疾患実態調査」の統計データから求めた、年齢と歯の寿命進行レベルの平均値との関係が予め記憶されており、前記年齢と寿命進行レベルの平均値の関係に、前記受診者の歯の寿命進行レベルを当てはめて算出されることを特徴とする、
歯の寿命診断支援サーバ。
【請求項２】
前記評価画面には、さらに、
前記歯の年齢と実年齢との差を表示する、年齢差表示欄、
が含まれることを特徴とする、
請求項１に記載の歯の寿命診断支援サーバ。
【請求項３】
前記歯の寿命進行レベルを算出する計算式は、前記各悪化レベルに対応する本数に、前記各悪化レベルに対応して設定される基準点数を掛けて積を算出し、さらに各積の値を足し合わせ、基礎点を加えて前記歯の寿命進行レベルを算出する計算式である、請求項１または２に記載の歯の寿命診断支援サーバ。
【請求項４】
前記評価画面には、さらに、
歯の年齢の理想目標と、実年齢との年齢差を表示する、年齢差表示欄、
が含まれ、
前記歯の年齢の理想目標は、８０歳で２０本以上の歯を達成するように理想的に推移する、年齢と歯の寿命進行レベルの理想目標の関係が予め記憶されており、前記理想的に推移する年齢と歯の寿命進行レベルの関係に、前記受診者の歯の寿命進行レベルを当てはめて算出される年齢である、
請求項２または３に記載の歯の寿命診断支援サーバ。
【請求項５】
前記統計データから求めた年齢と歯の寿命進行レベルの平均値の関係は、第１の近似式によって近似され、
前記歯の年齢は、前記第１の近似式に受診者の歯の寿命進行レベルを当てはめることによって算出される、
請求項４に記載の歯の寿命診断支援サーバ。
【請求項６】
前記歯の寿命進行レベルの平均値のデータは、年齢階級別の平均値のデータであり、
前記第１の近似式は年齢階級の間の特定の年齢の平均値の近似式である
請求項５に記載の歯の寿命診断支援サーバ。
【請求項７】
前記年齢と歯の寿命進行レベルの理想目標の関係は、第２の近似式によって近似され、
前記歯の年齢の理想目標は、前記第２の近似式に受診者の歯の寿命進行レベルを当てはめることによって算出される、
請求項５または６に記載の歯の寿命診断支援サーバ。
【請求項８】
前記評価画面には、さらに、
前記年齢と歯の寿命進行レベルの関係を示すグラフ、
が含まれ、
前記グラフには、前記第１の近似式に対応する第１の近似曲線と、前記受診者の実年齢での歯の寿命進行レベルの座標位置を示すマークと、
が含まれる請求項７に記載の歯の寿命診断支援サーバ。
【請求項９】
前記グラフには、さらに、
前記第２の近似式に対応する第２の近似曲線、
が含まれる請求項８に記載の歯の寿命診断支援サーバ。
【請求項１０】
前記グラフには、さらに、
前記統計データの歯の寿命進行レベルの平均値のデータに基づいて、前記平均値より悪いデータと年齢との関係を示す曲線
が含まれる請求項９に記載の歯の寿命診断支援サーバ。
【請求項１１】
前記平均値より悪いデータは、前記平均値より１０歳悪いデータと２０歳悪いデータである請求項１０に記載の歯の寿命診断支援サーバ。
【請求項１２】
前記評価画面には、さらに、
年齢別の歯の寿命進行レベルの平均値を表形式の早見表として表示する、早見表表示欄、
が含まれる請求項８に記載の歯の寿命診断支援サーバ。
【請求項１３】
前記早見表には、さらに、
年齢別の歯の寿命進行レベルの理想目標
が含まれる請求項１２に記載の歯の寿命診断支援サーバ。
【請求項１４】
前記評価画面には、さらに、受診者の実年齢より年数を経た年齢についての、歯の寿命進行レベルの平均値の増加点数を表示する増加点数表示欄と
前記増加点数に対して、所定比率減じた点数を表示する表示欄と、
が含まれる請求項７に記載の歯の寿命診断支援サーバ。
【請求項１５】
前記歯の悪化状態に応じて予め定めた基準点数は、歯の悪化状態が悪いほど、高い点数とする請求項１に記載の歯の寿命診断支援サーバ。
【請求項１６】
前記歯の悪化状態は、健全歯、詰め物の有る歯、かぶせ物のある歯、喪失歯の４つのレベルに区分される請求項１５に記載の歯の寿命診断支援サーバ。
【請求項１７】
前記喪失歯にインプラントが施術された場合は、マイナスの点数とする請求項１６に記載の歯の寿命診断支援サーバ。
【請求項１８】
前記評価画面には、さらに、
歯の全体について、年齢により悪化していく過程を描いた年齢による歯の状態の説明図が含まれている請求項１に記載の歯の寿命診断支援サーバ。
【請求項１９】
前記入力画面の本数入力欄は、悪化レベルに対応する少なくとも喪失歯の本数が入力される本数入力欄を備え、
前記評価画面には、さらに、
受診者の喪失歯の本数を表示する、喪失歯の本数表示欄、
前記受診者の喪失歯の本数と、喪失歯の本数の平均値との差を表示する、喪失歯の本数の平均値との差表示欄、
が含まれ、
前記喪失歯の本数の平均値は、厚生労働省の「歯科疾患実態調査」の統計データから求めた、年齢と喪失歯の本数の平均値との関係が予め記憶されており、前記年齢と喪失歯の本数の平均値の関係に、受診者の実年齢を当てはめて求められる、
請求項１に記載の歯の寿命診断支援サーバ。
【請求項２０】
前記評価画面には、さらに、
前記受診者の喪失歯の本数と、喪失歯の本数の理想目標との差を表示する、喪失歯の理想目標との差表示欄が含まれ、
前記喪失歯の本数の理想目標は、８０歳で２０本以上の歯を達成するように理想的に推移する、年齢と喪失歯の本数の理想目標の関係が予め記憶されており、前記理想的に推移する年齢と喪失歯の本数の関係に、前記受診者の実年齢を当てはめて求められる
請求項１９に記載の歯の寿命診断支援サーバ。
【請求項２１】
前記統計データから求められた年齢と喪失歯の本数の平均値との関係は、第３の近似式によって近似され、
前記受診者の実年齢に対応する前記喪失歯の本数の平均値は、前記第３の近似式に受診者の実年齢を当てはめることによって算出される、
請求項２０に記載の歯の寿命診断支援サーバ。
【請求項２２】
前記年齢と喪失歯の本数の理想目標との関係は、第４の近似式によって近似され、
前記受診者の実年齢に対応する前記喪失歯の本数の理想目標は、第４の近似式に受診者の実年齢を当てはめることによって算出される、
請求項２１に記載の歯の寿命診断支援サーバ。
【請求項２３】
前記評価画面には、さらに、
年齢と喪失歯の本数の平均値との関係を示すグラフを表示する、グラフ表示欄、
が含まれ、
前記グラフには、前記第３の近似式に対応する第３の近似曲線と、前記受診者の実年齢での喪失歯の本数の座標位置を示すマークと、
が含まれる請求項２２に記載の歯の寿命診断支援サーバ。
【請求項２４】
前記グラフは、さらに、
前記第４の近似式に対応する第４の近似曲線、
が含まれる請求項２３に記載の歯の寿命診断支援サーバ。
【請求項２５】
前記評価画面に、さらに、
年齢別の喪失歯の平均値を表形式の早見表として表示する、早見表表示欄、
が含まれる
請求項２４に記載の歯の寿命診断支援サーバ。
【請求項２６】
前記早見表は、さらに、
年齢別の年齢と喪失歯の理想目標が含まれる請求項２５に記載の歯の寿命診断支援サーバ。
【請求項２７】
前記評価画面に、さらに、
受診者のかぶせ物の歯の本数を表示する、かぶせ物の本数表示欄、および、
前記受診者のかぶせ物の歯の本数と、かぶせ物の歯の本数の平均値との差を表示する、かぶせ物の歯の平均値との差分表示欄、
が含まれ、
前記かぶせ物の歯の本数の平均値は、厚生労働省の「歯科疾患実態調査」の統計データから求めた、年齢とかぶせ物の歯の本数の平均値との関係が予め記憶されており、前記年齢とかぶせ物の歯の本数の平均値の関係に、受診者の実年齢を当てはめて求められる、
請求項１に記載の歯の寿命診断支援サーバ。
【請求項２８】
前記統計データから求められた年齢とかぶせ物の歯の本数の平均値との関係は、第５の近似式によって近似され、
前記受診者の実年齢に対応する前記かぶせ物の歯の本数の平均値は、前記第５の近似式に受診者の実年齢を当てはめることによって算出される、
請求項２７に記載の歯の寿命診断支援サーバ。
【請求項２９】
前記評価画面に、さらに、
前記年齢と前記かぶせ物の歯の本数の平均値との関係を示すグラフが表示される、グラフ表示欄が含まれ、
前記グラフには、前記第５の近似式に対応する第５の近似曲線と、前記受診者の実年齢でのかぶせ物の歯の本数の座標位置を示すマークと、が含まれる、
請求２８に記載の歯の寿命診断支援サーバ。
【請求項３０】
前記評価画面に、さらに、
一つの歯が、健全歯から、詰め物の治療をし、さらに悪化してかぶせ物をし、最後は抜歯に至る過程を示す、歯の寿命ステージの画像情報、
含まれる請求項１、２、１４、２８または２９に記載の歯の寿命診断支援サーバ。
【請求項３１】
歯の寿命を評価する歯の寿命診断支援システムであって、
請求項１乃至３０のいずれか１項に記載の歯の寿命診断支援サーバと、前記歯の寿命診断支援サーバと通信ネットワークを介して接続される情報処理端末と、を備えたことを特徴とする歯の寿命診断支援システム。
【発明の詳細な説明】
【技術分野】
【０００１】
本発明は、厚生労働省が５年ごとに調査内容を発表している「歯科疾患実態調査」の統計を利用して、歯の寿命に関連する評価情報を生成して歯科医院や受診者等の情報端末に提供する歯の寿命診断支援サーバ及び歯の寿命診断支援システムに関する。
【背景技術】
【０００２】
従来から、歯の悪化状態を判定するシステムとしては、たとえば、特許文献１に記載のようなものが知られている。このシステムは、２８本の歯の歯牙組織について、予め定められた評価基準に従って点数をつけると共に、歯周組織についても、５段階評価をして、歯牙組織と合わせて、その総点数を出して「歯の年齢」を出している。
一方で、「歯の年齢」と実年齢を取り込んだ統計的データのデータベースを作成し、受診者の歯の年齢、実年齢、および統計的データに基づいて、治療の評価のための情報を生成している。
【先行技術文献】
【特許文献】
【０００３】
【特許文献１】特許第３６２０５８５号公報
【発明の概要】
【発明が解決しようとする課題】
【０００４】
しかしながら、特許文献１のシステムでは、歯周組織についての評価が難しく、診断者によってばらつきが大きくなってしまう。
また、各歯の状態についての入力について、診断者が、２８本の各歯について、点数を入力していく方式であり、点数を誤入力するおそれがある。そして医療の現場では時間が無い場面が多く、簡便性でないと実用出来ない状況でありその点を考えても困難と思われる。
【０００５】
さらに、統計的データベースについては、実際の受診者のデータを蓄積して構築するもので、母集団によって、偏りがでるおそれがある。実際に、個人で統計データを集めようとすると、ある程度の母数にするには最低でも１０年以上の年月が必要となる。また、データを多くの使用者で相互に情報共有する仕組みもないため、現実に平均データを出すのは困難を極める。さらに、使用者の地域によって、データの偏りが生じることも考えられる。
本発明は上記した従来技術の問題を解決するためになされたもので、その目的は、簡易に、かつ、より客観的に歯の状態を知ることができる歯の寿命診断支援サーバ及び歯の寿命診断支援システムを提供することにある。
【課題を解決するための手段】
【０００６】
上記目的を達成するために、本発明は、
利用者の情報端末との間で、通信回線を介して情報の送受信を可能とする、歯の寿命診断支援サーバであって、
前記情報端末に対して、入力画面を表示する、入力画面生成手段と、
前記情報端末に対して、評価画面を表示する、評価画面生成手段と、を有し、
前記入力画面には、
複数段階に区分された悪化レベルに対応する受診者の歯の本数を入力する本数入力欄、が含まれ、
前記評価画面には、
前記本数入力欄に入力された本数に基づいて予め定められた計算式により算出される歯の寿命進行レベルを表示する寿命進行レベル表示欄、
前記受診者の歯の寿命進行レベルに基づいて求められる歯の年齢を表示する、歯の年齢表示欄が含まれ、
前記歯の年齢は、厚生労働省の「歯科疾患実態調査」の統計データから求めた、年齢と歯の寿命進行レベルの平均値との関係が予め記憶されており、前記年齢と寿命進行レベルの平均値の関係に、前記受診者の歯の寿命進行レベルを当てはめて算出されることを特徴とする。
【０００７】
悪化レベルに対応する歯の本数を入力するだけの簡単な操作で、歯の評価情報として、受診者の、歯の寿命進行レベルおよび歯の年齢を、使用者の情報処理端末に出力することができる。
歯の悪化レベルには、歯茎の状態は評価に入れていないが、たとえば、喪失歯の数を評価の基準に入れておけばよい。歯が抜ける理由は、歯周病、虫歯、破折で９０％以上を占めている。そして、歯周病は歯が抜ける原因の約４０％を占めているので、歯周病での歯の影響も当然評価に反映される結果となる。
【０００８】
厚生労働省の「歯科疾患実態調査」の広範な統計データから求めた年齢と歯の寿命進行レベルの平均値との関係から、受診者の歯の寿命進行レベルに対応する年齢を歯の年齢として求めるので、偏りの無い評価情報を得ることができる。
「歯科疾患実態調査」は、全都道府県での調査で、平成２８年度の調査では、対象者は４，２５３人であった。一度きりの調査ではなく５年に一度の調査なので、最新のデータに反映出来る効果がある。
【０００９】
なお、来院時の受診者の未処置歯は、状態によって歯科医が最終的な治療後の歯の状態を入力する。そして、統計データは未処置歯、未処置は状況によって点数を治療後の状態に対する点数で評価する。つまり、多くの未処置歯が、実際の受診者や歯科疾患実態調査のデータにあったとしても、それらを加味して計算することができる。
【００１０】
・請求項２
前記評価画面には、さらに、前記歯の年齢と実年齢との差を表示する、年齢差表示欄が含まれることが好ましい。
このようにすれば、受診者の歯の悪化状態の進行が、平均に対してどの程度進んでいるのか、遅れているのかが、数値データとして明確になり、受診者に対して強く意識づけることができる。
【００１１】
・請求項３
前記歯の寿命進行レベルを算出する計算式は、前記各悪化レベルに対応する本数に、前記各悪化レベルに対応して設定される基準点数を掛けて積を算出し、さらに各積の値を足し合わせ、基礎点を加えて前記歯の寿命進行レベルを算出する計算式とすることが好適である。
このようにすれば、歯の悪化状態が、数値的に明確になる。
基礎点については、無くてもよい。また、評価画面に、積を表示する表示欄を有する計算式を表示し、算出の過程を明確にしてもよい。
【００１２】
・請求項４
前記評価画面には、さらに、歯の年齢の理想目標と、実年齢との年齢差を表示する年齢差表示欄が含まれ、前記歯の年齢の理想目標は、８０歳で２０本以上の歯を達成するように理想的に推移する、年齢と歯の寿命進行レベルの理想目標の関係が予め記憶されており、前記理想的に推移する年齢と歯の寿命進行レベルの関係に、前記受診者の歯の寿命進行
レベルを当てはめて算出される年齢であることが好適である。
このように、理想的な歯の寿命進行レベルを出しておけば、平均的な悪化状態に対する受診者自身の位置だけでなく、理想目標に対する位置を知ることができる。
８０２０を目指すとしても、８０歳にならないと分からない問題であったが、何歳であっても、歯の寿命進行レベルの数値を目標にすれば良いかが分かる。
【００１３】
・請求項５
前記統計データから求めた年齢と歯の寿命進行レベルの平均値の関係は、第１の近似式によって近似され、前記歯の年齢は、前記第１の近似式に受診者の歯の寿命進行レベルを当てはめることによって算出されることが好ましい。
【００１４】
・請求項６
特に、前記歯の寿命進行レベルの平均値のデータは、年齢階級別の平均値のデータであり、前記第１の近似式は年齢階級の間の特定の年齢の平均値の近似式であることが好適である。
厚生労働省の「歯科疾患実態調査」のデータは、５歳ごとのデータのほかに、１歳ごとの統計データも存在するが、１歳ごとのデータをそのまま使うと、ばらつきがあり、１歳前よりも歯の抜けた本数が少なくなる場合がある。それを歯の診断に当てはめると正しい評価とならないので、近似式を利用することが好ましい。
・請求項７
前記年齢と歯の寿命進行レベルの理想目標の関係は、第２の近似式によって近似され、前記歯の年齢の理想目標は、前記第２の近似式に受診者の歯の寿命進行レベルを当てはめることによって算出されることが好適である。
【００１５】
また、前記歯の年齢の理想目標は、年齢と歯の寿命進行レベルの理想目標のデータの関係を近似する第２の近似曲線の第２の近似式に受診者の歯の寿命進行レベルを当てはめることによって算出される。
【００１６】
・請求項８
前記評価画面には、さらに、前記年齢と歯の寿命進行レベルの関係を示すグラフが含まれ、
前記グラフには、前記第１の近似式に対応する第１の近似曲線と、前記受診者の実年齢での歯の寿命進行レベルの座標位置を示すマークとが含まれることが好適である。
【００１７】
年齢と歯の寿命進行レベルの平均値のグラフ上に、受診者の実年齢と歯の寿命進行レベルの座標位置にマークを表示するようにすれば、歯の悪化状態を視覚的に直観的に知ることができる。
・請求項９
前記グラフには、さらに、前記第２の近似式に対応する第２の近似曲線が含まれる。
理想的な歯の寿命進行レベルをグラフ化しておけば、理想目標に対する受診者自身の位置を、直観的に知ることができる。
【００１８】
・請求項１０
前記グラフには、さらに、前記統計データの歯の寿命進行レベルの平均値のデータに基づいて、前記平均値より悪いデータと年齢との関係を示す曲線が含まれることが好適である。
・請求項１１
前記平均値より悪いデータは、前記平均値より１０歳悪いデータと２０歳悪いデータとすることができる。
つまり受診者自身が、平均よりも良いか、悪いかが、直感的に分かり、またその後の歯
の状態の推移のイメージが一目瞭然となる。
【００１９】
・請求項１２
前記評価画面には、さらに、年齢別の歯の寿命進行レベルの平均値を表形式の早見表として表示する、早見表表示欄が含まれることが好適である。
・請求項１３
前記早見表には、さらに、年齢別の歯の寿命進行レベルの理想目標が含まれることが好ましい。
グラフでは、全体の傾向が直観的に判断できるが、細かい数値が見えにくい。このように、早見表があれば、数値によって、範囲を特定できる。
【００２０】
・請求項１４
前記評価画面には、さらに、受診者の実年齢より年数を経た年齢についての、歯の寿命進行レベルの平均値の増加点数を表示する増加点数表示欄と、前記増加点数に対して、所定比率減じた点数を表示する表示欄と、が含まれる構成とすることができる。
たとえば、１０年後の歯の寿命進行レベルの増加点数を２５％、５０％、７５％減じた増加点数を表示することで、受診者と歯科医師とで、任意の共通目標値を決めることができる。
【００２１】
たとえば、受診者の現在の歯の寿命進行レベルが、平均値より悪い場合、平均値における増加点数と同じに推移すれば、１０年経過した時点で、平均値からの差が同じである。平均値における増加点数に対して、所定比率減じれば、１０年経過した時点で、平均値との差が縮小、あるいは平均値より小さくすることができる。現在の寿命進行レベルと平均値との乖離度合いを勘案し、受診者と歯科医師との間で、客観的に、数値目標を設定することができる。
【００２２】
・請求項１５
前記歯の悪化状態に応じて予め定めた基準点数は、歯の悪化状態が悪いほど、高い点数とする。
・請求項１６
前記歯の悪化レベルは、たとえば、健全歯、詰め物の有る歯、かぶせ物のある歯、喪失歯の４つのステージに区分される。
・請求項１７
前記喪失歯にインプラントが施術された場合は、マイナスの点数としてもよい。
インプラントは、喪失歯の代替として利用されるので、健康状態が改善されるので、マイナス点数とすることにより、健康度合いと相関を持たせることができる。
【００２３】
・請求項１８
また、前記評価画面には、さらに、歯の全体について、年齢により悪化していく過程を描いた年齢による歯の状態の説明図が含まれていることが好ましい。
数字やグラフだけでは、イメージが出来ない場合もあるため、歯の悪化状態の模式図が、画像として表示されれば、より、歯の悪化状態を、より直観的に知ることができる。
【００２４】
・請求項１９
前記入力画面の本数入力欄は、悪化レベルに対応する少なくとも喪失歯の本数が入力される本数入力欄を備え、前記評価画面には、さらに、受診者の喪失歯の本数を表示する、喪失歯の本数表示欄、前記受診者の喪失歯の本数と、喪失歯の本数の平均値との差を表示する、喪失歯の本数の平均値との差表示欄、が含まれ、
前記喪失歯の本数の平均値は、厚生労働省の「歯科疾患実態調査」の統計データから求めた、年齢と喪失歯の本数の平均値との関係が予め記憶されており、前記年齢と喪失歯の
本数の平均値の関係に、受診者の実年齢を当てはめて求められることが好適である。
このように、喪失歯の本数によっても、受診者自身の歯の状態をチェックすることができる。
この場合、歯の評価情報は、受診者の喪失歯の本数と、受診者の年齢に対応する喪失歯の本数の平均値と、受診者の喪失歯の本数と喪失歯の本数の平均値との差である。
【００２５】
・請求項２０
前記評価画面には、さらに、前記受診者の喪失歯の本数と、喪失歯の本数の理想目標との差を表示する、喪失歯の理想目標との差表示欄が含まれ、
前記喪失歯の本数の理想目標は、８０歳で２０本以上の歯を達成するように理想的に推移する、年齢と喪失歯の本数の理想目標の関係が予め記憶されており、前記理想的に推移する年齢と喪失歯の本数の関係に、前記受診者の実年齢を当てはめて算出される、ことが好ましい。
このように、理想的な喪失歯の本数を出しておけば、平均的な悪化状態に対する受診者自身の位置だけでなく、理想目標に対する位置を知ることができる。
【００２６】
・請求項２１
前記統計データから求められた年齢と喪失歯の本数の平均値との関係は、第３の近似式によって近似され、前記受診者の実年齢に対応する前記喪失歯の本数の平均値は、前記第３の近似式に受診者の実年齢を当てはめることによって算出されることが好適である。
厚生労働省の「歯科疾患実態調査」のデータは、１歳ごとのデータをそのまま使うと、ばらつきがあり、１歳前よりも歯の抜けた本数が少なくなる場合がある。それを歯の評価に当てはめると正しい評価とならないので、近似式を利用することが好ましい。
【００２７】
・請求項２２
前記年齢と喪失歯の本数の理想目標との関係は、第４の近似式によって近似され、前記受診者の実年齢に対応する前記喪失歯の本数の理想目標は、第４の近似式に受診者の実年齢を当てはめることによって算出されることが好適である。
【００２８】
・請求項２３
前記評価画面には、さらに、年齢と喪失歯の本数の平均値との関係を示すグラフを表示する、グラフ表示欄、が含まれ、
前記グラフには、前記第３の近似式に対応する第３の近似曲線と、前記受診者の実年齢での喪失歯の本数の座標位置を示すマークと、が含まれることが好ましい。
年齢と喪失歯の平均値のグラフ上に、受診者の実年齢と喪失歯を表示するようにすれば、歯の悪化状態を直観的に知ることができる。
【００２９】
・請求項２４
前記グラフは、さらに、前記第４の近似式に対応する第４の近似曲線が含まれることが好ましい。
【００３０】
・請求項２５
前記評価画面には、さらに、年齢別の喪失歯の平均値を表形式の早見表として表示する、早見表表示欄が含まれることが好適である。
・請求項２６
前記早見表は、さらに、年齢別の喪失歯の理想目標が含まれる。
グラフでは、全体の傾向が直観的に判断できるが、細かい数値が見えにくい。このように、早見表があれば、数値によって、範囲をおおまかに特定できる。
喪失歯の本数の平均値は、第３の近似式に、年齢を当てはめて算出され、理想目標は第４の近似式に、年齢を当てはめて算出される。
【００３１】
・請求項２７
また、前記評価画面に、さらに、受診者のかぶせ物の歯の本数を表示する、かぶせ物の本数表示欄、および、前記受診者のかぶせ物の歯の本数と、かぶせ物の歯の本数の平均値との差を表示する、かぶせ物の歯の平均値との差分表示欄、が含まれ、
前記かぶせ物の歯の本数の平均値は、厚生労働省の「歯科疾患実態調査」の統計データから求めた、年齢とかぶせ物の歯の本数の平均値との関係が予め記憶されており、前記年齢とかぶせ物の歯の本数の平均値の関係に、受診者の実年齢を当てはめて求められる構成とすることができる。
歯の寿命進行レベルは高いが、歯の抜けた数が少ないケースも考えられる。すなわち、歯は抜けてないが、詰め物やかぶせ物が多い状況である。特に、抜歯の一歩手前のかぶせ物が多い人は、今後１０年での抜歯の危険度が通常より高くなる。それを踏まえて、歯科疾患実態調査での年齢別の平均的なかぶせ物の数と対比して、１０年以内の抜歯危険度を判定する。たとえば、平均よりも２本以上多い場合には特に注意が必要である。また、平均と同じ本数だとしても抜歯にならないわけではなく、年齢増加に伴った平均的な抜歯本数になる可能性はある。
【００３２】
・請求項２８
前記統計データから求められた年齢とかぶせ物の歯の本数の平均値との関係は、第５の近似式によって近似され、
前記受診者の実年齢に対応する前記かぶせ物の歯の本数の平均値は、前記第５の近似式に受診者の実年齢を当てはめることによって算出されることが好ましい。
厚生労働省の「歯科疾患実態調査」のデータは、１歳ごとのデータをそのまま使うとばらつきがあり、１歳前よりもかぶせ物の本数が少なくなる場合がある。それを歯の評価に当てはめると正しい評価とならないので、近似式を利用することが好ましい。
【００３３】
・請求項２９
前記評価画面に、さらに、前記年齢と前記かぶせ物の歯の本数の平均値との関係を示すグラフが表示される、グラフ表示欄が含まれ、
前記グラフには、前記第５の近似式に対応する第５の近似曲線と、前記受診者の実年齢でのかぶせ物の歯の本数の座標位置を示すマークと、が含まれることが好適である。
年齢とかぶせ物の歯の平均値のグラフ上に、受診者の実年齢とかぶせ物の歯の本数の位置をマークすることにより、歯の悪化状態を直観的に知ることができる。
【００３４】
・請求項３０
前記評価画面に、さらに、一つの歯が、健全歯から、詰め物の治療をし、さらに悪化してかぶせ物をし、最後は抜歯に至る過程を示す、歯の寿命ステージの画像情報が含まれることが好適である。
【００３５】
・請求項３１
また、本発明の歯の寿命診断支援システムは、
歯の寿命を評価する歯の寿命診断支援システムであって、
上記発明に係る歯の寿命診断支援サーバと、この歯の寿命診断支援サーバと通信ネットワークを介して接続される情報処理端末と、を備えた構成となっている。
【発明の効果】
【００３６】
本発明によれば、簡易に、かつ、より客観的に歯の悪化状態を知ることができ、歯に健康に対する啓蒙、ひいては前進の健康状態の増進を図ることができる。
治療だけでなく、歯の状態を客観的に知ることで自分の健康増進の意識が芽生える。８０２０（８０歳で自身の歯が２０本）を目指すとしても、８０歳にならないと分からない
問題であったが、本発明によれば、何歳であっても歯の寿命進行レベルの数値を目標にすれば良いかが分かる。
また歯の本数が多いと医療費全体の削減につながる統計データが各種あるため、国の財政負担が減る。また歯だけでなく受診者の体の健康にもつながる。
【図面の簡単な説明】
【００３７】
【図１】図１は、本発明の歯の寿命診断支援システムの全体構成図である。
【図２】図２は、歯科医療機関端末に表示される入力画面の一例を示す図である。
【図３】図３は、歯の悪化レベルの説明図である。
【図４】図４は、歯の年齢に関する評価画面の一例を示す図である。
【図５】図５は、喪失歯に関する評価画面の一例を示す図である。
【図６】図６は、かぶせ物に関する評価画面の一例を示す図である。
【図７】図７は、１０年後の目標に関する評価画面の一例を示す図である。
【図８】図８は、診断支援サーバと歯科医療機関端末のシステム構成の一例を示す概略構成図である。
【図９】図９は、受診者データベースの一例を示す図である。
【図１０】図１０（Ａ）〜（Ｃ）は、厚生労働省の「歯科疾患実態調査」から抽出したデータの表である。
【図１１】図１１は、歯の寿命進行レベルの平均値と年齢の関係の第１の近似曲線を表示したグラフである。
【図１２】図１２（Ａ）は、年齢別の歯の寿命進行レベルの平均値、理想目標、１０歳悪いデータおよび２０歳悪いデータをまとめた表、図１２（Ｂ）は、（Ａ）のデータの近似曲線を描いたグラフである
【図１３】図１３（Ａ）は、図１０（Ｂ）の年齢階級の中間値と喪失歯(欠損)の本数の平均値との関係を示す表、図１３（Ｂ）は、切りのいい年齢別の喪失歯の本数の平均値、理想目標をまとめた表、図１３（Ｃ）は、年齢階級の中間値の近似曲線、図１３（Ｄ）は、年齢と喪失歯の本数の平均値及び理想目標との関係を示すグラフである。
【図１４】図１４（Ａ）は、統計データの年齢階級の中間値とかぶせ物の本数の平均値との関係を示す表、（Ｂ）は年齢とかぶせ物の歯の本数の平均値との関係を示す第５の近似曲線を表示したグラフである。
【図１５】図１５〜図２３は、本発明の診断支援システムによって生成される評価画面のより詳細な構成例を示すもので、図１５は、第１ページの図である。
【図１６】図１６は、第２ページの図である。
【図１７】図１７は、第３ページの図である。
【図１８】図１８は、第４ページの図である。
【図１９】図１９は、第５ページの図である。
【図２０】図２０は、第６ページの図である。
【図２１】図２１は、第７ページの図である。
【図２２】図２２は、第８ページの図である。
【図２３】図２３は、第９ページの図である。
【図２４】図２４は、歯の寿命進行レベルの平均値、理想目標、１０年悪い例、２０年悪い例のデータが格納されたテーブルの一例を示す図である。
【発明を実施するための形態】
【００３８】
以下に本発明を図示の実施形態に基づいて詳細に説明する。
まず、本発明の基本的な考え方について説明する。
厚生労働省において、５年ごとに、「歯科疾患実態調査」が発表されている。この歯科疾患実態調査においては、以下の統計が出ている。
５歳刻みの年齢による、以下の平均数
・健全歯の数
・詰め物の数
・クラウン（ＦＭＣ）の数
・抜けた歯の数（欠損）
・未処置歯（軽度Ｃｉ・重度Ｃｈ）
・根面板
【００３９】
しかしながら、歯科疾患実態調査の資料は、ただ、これらの数字が出ているだけであり、歯科疾患実態調査の資料に照らし、受診者である受診者の歯の全体的な悪化レベル（ステージ）が、進んでいるのか否か、評価することが難しい。
表１は、実年齢が５０歳の受診者Ａ，Ｂ、Ｃについて、歯科疾患実態調査の日本人の平均値と、各受診者のデータを並べたものである。表中、かぶせ物は、クラウンの数に対応する。表１において、受診者Ａ、受診者Ｂ、受診者Ｃのデータを、平均値と比べても、一見して、どの人の歯が、一番状況が悪いのかが分からない。
【００４０】
【表１】
0006888866.tif 000002
【００４１】
本発明の歯の寿命診断支援システムは、個別の歯の悪化状態を複数段階に区分して点数を付与し、各歯の点数をすべての歯について足し合わせた総点数を算出して「歯の寿命進行レベル」とし、歯の全体の状態を評価する。
歯の寿命進行レベルの用語は、個々の歯ではなく、すべての歯が喪失した場合を寿命が尽きたものとし、その寿命の進行度合いの意味で使用している。
たとえば、個々の歯の状態を、次の４段階に区分し、それぞれに点数（基準点数）を付与する。
・健康な歯  ０点
・詰め物    １点
・かぶせ物  ２点
・抜けた歯  ３．５点
【００４２】
表２は、表１に記載した平均値、受診者Ａ、Ｂ，Ｃについて、悪化状態毎の本数と点数を掛けて足し合わせ、歯の寿命進行レベルを演算した結果である。このように、歯の寿命進行レベルを出すことにより、平均から比べて良い悪いが一目で判断できる。すなわち、３人の受診者のうち、受診者Ｃが最も状態が悪く、次いで受診者Ａ、受診者Ｂの順に状態が悪い。また、３人とも、５０歳の平均値よりも悪いということが、一目瞭然にわかる。また、各人の歯の寿命進行レベルに対応する年齢がわかれば、自身の実年齢と何歳違うのかも判断可能となる。
【００４３】
【表２】
0006888866.tif 000003
【００４４】
以下に、本発明の歯の寿命診断支援システムの具体的な構成例について、詳細に説明する。
以下の実施形態は本発明の好ましい構成を例示的に示すものにすぎず、本発明の範囲はそれらの構成に限定されない。また、以下の説明における、システムのハードウェア構成、ソフトウエアの構成等は、特に特定的な記載がないかぎりは、本発明の範囲をそれらのみに限定する趣旨のものではない。また、以下の実施形態に記載されている入力画面、評価画面の評価情報、それらの相対配置構成などは、発明が適用される装置の構成や各種条件により適宜変更されるべきものであり、この発明の範囲を以下の実施の形態に限定する趣旨のものではない。
図１は本発明の歯の寿命診断支援システムの概要示している。
本発明の歯の寿命診断支援システムは、利用者の情報端末である歯科診療所、歯科の病院等に設けられた歯科医療機関端末１０との間で、インターネットなどの通信回線(通信
ネットワーク)４０を介して接続され、情報の送受診が可能な歯の寿命診断支援サーバ２
００（以下、単に診断支援サーバと称す）を有している。また、同じく利用者である受診者の情報処理端末である受診者端末２０からもインターネット等の通信回線４０を介してアクセス可能となっており、自身のデータを閲覧することができる。また、診断支援サーバ２００を管理する管理者用の管理者端末１２０も通信回線４０を介して、診断支援サーバ２００にアクセス可能となっている。
【００４５】
診断支援サーバ２００は、歯科医療機関端末１０や受診者端末２０からの要求に応じて歯の評価情報を提供する装置で、ＣＰＵ等のプロセッサと、ＲＡＭ等の主記憶装置、ＨＤＤやＳＳＤ，ＤＶＤ等の補助記憶装置、有線あるいは無線の通信装置、キーボードやマウス等の入力装置、ディスプレイ等の表示装置を含むコンピュータとして構成される。サーバは、１台のコンピュータから構成される必要はなく、複数台のコンピュータが連携して以下で説明する機能が実現されてもよい。
【００４６】
歯科医療機関端末１０、受診者端末２０及び管理者端末３０も、ＣＰＵ等のプロセッサと、ＲＡＭ等の主記憶装置、ＨＤＤやＳＳＤ、ＤＶＤ等の補助記憶装置、有線あるいは無線の通信装置、キーボードやマウス等の入力装置、ディスプレイ等の表示装置を含むコンピュータとして構成される。据え置き型のコンピュータに限らず、タブレット端末、スマートフォンなどの携帯端末などを用いることもできる。
【００４７】
診断支援サーバ２００は、歯科医療機関端末１０に対して、入力画面を表示する入力画面生成部（入力画面生成手段）２０３と、歯科医療機関端末１０に対して、評価画面を表示する評価画面生成手段（評価画面生成手段）２０５と、を有している。
まず、入力画面について説明する。
図２は、入力画面生成部によって生成される入力画面２３０の一例である。
入力画面２３０は、歯科医療機関端末１０から診断支援サーバ２００にログインすることによって、診断支援サーバ２００から配信される。
特に図示していないが、診断支援サーバ２００は、この歯の診断支援システムに参加する歯科医院等の歯科医療機関のデータベースを持っており、歯科医院の識別番号を照合し、ログインを許可する。ログインすると、たとえば、ホームページが表示され、ホームページには、入力ボタンが設けられ、入力ボタンをクリックすると、入力画面が表示される。受診者が、以前診断を受けている場合には、履歴情報を閲覧することもできる。
入力画面２３０には、受診者の氏名を入力する氏名入力欄２３１、年齢を入力する年齢入力欄２３２、受診日を入力する受診日入力欄２３３、および複数段階に区分された悪化レベルに対応する歯の本数を入力する４つの本数入力欄２３４ａ、２３４ｂ、２３４ｃ、２３４ｄ、歯の画像入力欄２３５ａ、２３５ｂ、２３５ｃ、２３５ｄ、２３５ｅ、および入力ボタン２３６が設けられている。
【００４８】
ここで、歯の悪化レベルについて、説明する。
図３は、1本の歯の寿命ステージを模式的に示している。
この図３には、健康な歯から、虫歯になり、治療をして、最後は抜歯に至る過程が、模式的に表現されている。ステージ(stage）１は健康な歯、ステージ２は小さい詰め物の治療、ステージ３は部分的なかぶせ物の治療、ステージ４は神経を失って大きなかぶせ物の治療、ステージ５は抜歯に至る。
本発明では、ステージ２とステージ３は、広義の意味で詰め物ととらえ、悪化状態を、健康な歯（ステージ１）、詰め物をした歯（ステージ２・３）、大きなかぶせ物をした歯（ステージ４）、抜歯の、４つのレベルに分けている。
以下の説明では、ステージ１の健康な歯を「健全歯」、ステージ２・３の状態を、「詰め物」、ステージ４を「かぶせ物」、抜歯は「喪失歯」と表記する。
来院時の虫歯については、詰め物の治療をする場合は詰め物、かぶせ物の治療をする場合にはかぶせ物、抜歯をする場合には喪失歯とするものとし、治療後の状態で入力される。
なお、前提として、このシステムの対象者は、１５歳以上とし、また、親知らずは対象とせず、２８本の歯を対象とする。
【００４９】
図２の入力画面２３０において、氏名入力欄２３１、年齢入力欄２３２、受診日入力欄２３３に、受診者の氏名、年齢、受診日を入力し、健全歯の本数入力欄２３４ａ、詰め物の本数入力欄２３４ｂ、かぶせ物の本数入力欄２３４ｃ、喪失歯の本数入力欄２３４ｄに、それぞれ受診者の健全歯、詰め物、かぶせ物、喪失歯の本数を入力する。
さらに、画像入力欄２３５ａ〜２３５ｅに、前面、上下左右の歯列の画像情報を入力し、入力ボタン２３６を押すと、入力情報と共に、評価画面の要求信号が、診断支援サーバ２００に送信される。
歯列の画像情報は、予めカメラで撮影し、歯科医療機関端末に取り込んでおき、画像情報を取り込む。
【００５０】
診断支援サーバ２００は、統計情報から求めた各種指標を有しており、入力情報と各種指標に基づいて評価情報を演算し、評価情報を含む評価画面を生成して、歯科医療機関端末１０のディスプレイに評価画面を表示する。評価画面は、歯の年齢に関する評価画面、喪失歯に関する評価画面、かぶせ物に関する評価画面、１０年後の歯の寿命進行レベルの増加点数に関する評価画面を有しており、互いにリンクされた複数のウェブページとして生成される。
【００５１】
図４は、歯の年齢に関する評価画面３０２の一例である。
この評価画面３０２には、次の評価情報が表示される表示欄が設けられる。
・歯の寿命進行レベルが表示される歯の寿命進行レベル表示欄３１８
・受診者の歯の年齢が表示される歯の年齢表示欄３２１、
・歯の年齢平均値と実年齢との差が表示される平均値との年齢差表示欄３２２、
・歯の年齢と理想目標との差が表示される理想目標との年齢差表示欄３２３、
・歯の寿命進行レベルと年齢との関係を示すグラフＧ１
・歯の寿命進行レベルの平均値と理想目標の年齢ごとの早見表Ｔ１１
歯の寿命進行レベルとは、歯の寿命がどれぐらい進行しているかを誰でもわかりやすく数値化したものである。本発明の歯の寿命診断支援システムは、「歯の寿命進行レベル」を算出し、厚生労働省の「歯科疾患実態調査」による日本人の平均と比較することで、「歯の年齢」を出している。また、国が推進している８０歳で２０本以上の歯を残す（８０２０運動）という「理想目標」とも比較できるようになっている。
【００５２】
・歯の寿命進行レベルについて
歯の寿命進行レベルは、次の数式（１０）に当てはめて算出される。
歯の寿命進行レベル（ｙ）＝健全歯の本数×０＋詰め物の本数×１点＋被せものの本数×２点＋喪失歯×３．５点＋２点・・・・（１０）
すなわち、各悪化レベルに対応する健全歯、詰め物、かぶせ物、喪失歯について、予め基準点数が定められている。基準点数は、健全歯は０点、詰め物は１点、かぶせ物は２点、喪失歯は３．５点と、悪化レベルが悪くなるほど高く設定されている。そして、健全歯の本数、詰め物の本数、かぶせ物の本数、喪失歯の本数に、それぞれ、対応する基準点数を掛け、その積の値を足し合わせ、さらに、基礎点（２点）を加えて算出される。基礎点２点を加えるのは、２８本すべての歯が喪失した場合に、１００点となるように調整したもので、基礎点を加えなくてもよい。喪失歯にインプラントが施術された場合は、マイナスの点数としてもよい。前記喪失歯にインプラントが施術された場合は、マイナスの点数としてもよい。インプラントは、喪失歯の代替として利用されるので、健康状態が改善されるので、マイナス点数とすることにより、健康度合いと相関を持たせることができる。
【００５３】
・受診者の歯の年齢について
歯の年齢は、厚生労働省の「歯科疾患実態調査」の統計データから求めた、年齢と歯の寿命進行レベルの平均値との関係が予め記憶されており、この齢と寿命進行レベルの平均値の関係に、前記受診者の歯の寿命進行レベルを当てはめて求められる。
たとえば、統計データから求めた年齢と歯の寿命進行レベルの平均値の関係は、次の第１の近似式（１１）によって近似され、この第１の近似式（１１）に、受診者の歯の寿命進行レベルの点数を当てはめることによって、歯の年齢が算出される。
ｙ１＝Ａ１*（ｘ／５−３）２+Ｂ１*（ｘ／５−３）+Ｃ１・・・（１１）
Ａ１：０．２１６５
Ｂ１：１．５２２９
Ｃ１：３．６４１５
第１の近似式（１１）は、歯の寿命進行レベルの平均値ｙと年齢（ｘ）との関係を表す近似式で、数式（１０）で求めた受診者の歯の寿命進行レベルをｙ１に代入してｘを求め、歯の年齢とする。すなわち、統計的に求めた、歯の寿命進行レベルを指標にして、受診者の歯の寿命進行レベルが、何歳に当たるかを求める。歯の年齢については、少数点以下の数値は切り捨てて整数とする。
第１の近似式（１１）の詳細については、後述する。
【００５４】
・歯の年齢と実年齢との差Δ１について
歯の年齢と実年齢との差は、次式のように、歯の年齢から実年齢を引いて算出される。
Δ１＝歯の年齢−実年齢
マイナスは、歯の年齢が実年齢よりも若いことになり、平均より良い状態、プラスは歯
の年齢が実年齢よりも進行しているので、平均より悪い状態を表す。この引き算の順序を逆にすれば、マイナスは、平均より悪い状態、プラスは平均よりいい状態を表すことになる。
【００５５】
・理想目標と実年齢と差Δ２について
この歯の年齢と理想目標との差Δ２は、次式のように、理想目標の年齢から実年齢を引いて算出される。
Δ２＝理想目標の年齢−実年齢
この場合も、マイナスは、理想目標よりも若いことになり、理想目標より良い状態、プラスは歯の年齢が理想目標よりも進んでいるので、理想目標より悪い状態を表す。
理想目標は、８０歳で２０本以上の歯を達成するように理想的に推移する、年齢と歯の寿命進行レベルの理想目標の関係が予め記憶されており、この理想的に推移する年齢と歯の寿命進行レベルの関係に、受診者の歯の寿命進行レベルを当てはめて算出される。
【００５６】
たとえば、年齢と歯の寿命進行レベルの理想目標の関係は、次の第２の近似式（１２）によって近似されている。
ｙ２＝Ａ２*（ｘ／５−３）２+Ｂ２*（ｘ／５−３）+Ｃ２・・・（１２）
Ａ２：０．１６６４
Ｂ２：１．１７０２
Ｃ２：３．２６０２
この数式（１２）は、歯の寿命進行レベルの理想目標ｙ２と年齢（ｘ）との関係を示す近似式で、国が推進している８０歳で２０本以上の歯を残す（８０２０運動）に合わせて、８０歳で喪失歯が８本以下となるように、第１の近似式（１１）をもとにして求めたものである。
この第２の近似式（１２）のｙ２に、受診者の歯の寿命進行レベルを代入してｘを算出し、理想目標の年齢とする。すなわち、歯の寿命進行レベルの理想目標を指標にして、受診者の歯の寿命進行レベルが、理想目標の何歳に当たるかを求める。
第２の近似式（１２）の詳細については、後述する。
【００５７】
・歯の寿命進行レベルと年齢との関係を示すグラフＧ１について
すなわち、グラフＧ１は、２軸の座標平面上に、第１の近似式（１１）に対応する第１の近似曲線Ｌ１、第２の近似式（１２）に対応する第２の近似曲線Ｌ２、受診者の実年齢と、受診者の歯の寿命進行レベルの座標位置に付されたマークＰ１が、含まれている。本実施形態では、さらに、平均値より悪いデータと年齢の関係を近似する近似曲線として、１０歳悪いデータの近似曲線Ｍ１０、２０歳悪いデータの近似曲線Ｍ２０が含まれている。
作成されるグラフについては、座標平面の大きさ、縦横の比率、背景の色が設定される。背景の色については、色分けされる。たとえば、第１の近似曲線Ｌ１より大きい領域は赤系統の色、特に、第１の近似曲線Ｌ１と１０歳悪い近似曲線Ｍ１０の間の領域Ａ１１は薄い赤、１０歳悪い近似曲線Ｍ１０と２０歳悪い近似曲線Ｍ２０の間の領域Ａ１２は少し濃い赤、２０歳悪い近似曲線Ｍ２０より大きい領域Ａ１３が濃い赤に色分けされる。また、第１の近似曲線Ｌ１と第２の近似曲線Ｌ２の間の領域Ａ２の色は黄色、第２の近似曲線Ｌ２より小さい領域Ａ３は青として、直観的に悪い状況がわかるように色が設定される。
【００５８】
・歯の寿命進行レベルの平均値と理想目標の年齢ごとの早見表Ｔ１１について
早見表Ｔ１１は、第１の近似式（１１）、第２の近似式（１２）に、切りのいい年齢、図では、２０歳から５歳刻みで８０歳までの年齢を代入して得られた歯の寿命進行レベルの値を表にしたものである。
受診者の歯の寿命進行レベルを、早見表に照らし合わせれば、受診者歯の年齢について、おおよその見当をつけることができる。
【００５９】
図５は、喪失歯に関する評価画面３０３の一例である。
この評価画面には、次の評価情報が表示される表示欄が設けられる。
・受診者の喪失歯の本数を表示する、喪失歯の本数表示欄３３１
・受診者の喪失歯の本数と、平均値との差を表示する喪失歯の差分表示欄３３３
・受診者の喪失歯の本数と、理想目標との差を表示する喪失歯の差分表示欄３３５
・喪失歯の本数の平均値および理想目標と、年齢との関係を示すグラフＧ２
・年齢別の喪失歯を表形式の早見表Ｔ１２として表示する早見表表示欄３３７
【００６０】
・受診者の喪失歯の本数と、平均値との差Δ３について
平均値は受診者の実年齢に対応する喪失歯の平均本数であり、受診者の喪失歯の本数との差は、次式のように、喪失歯の本数の平均値から受診者の喪失歯の本数を引いて算出される。
Δ３＝受診者の喪失歯の本数−喪失歯の本数の平均値
マイナスは、喪失歯が平均値より少ないので平均より良い状態、プラスは、喪失歯が平均より多いので平均より悪い状態を表す。この引き算の順序を逆にすれば、マイナスは、平均より悪い状態、プラスは平均よりいい状態を表すことになる。
喪失歯の本数の平均値の算出は、厚生労働省の「歯科疾患実態調査」の統計データから求めた、年齢と喪失歯の本数の平均値との関係が予め記憶されており、年齢と喪失歯の本数の平均値の関係に、受診者の実年齢を当てはめて算出される、
【００６１】
たとえば、年齢と喪失歯の本数の平均値との関係は、次の第３の近似式（１３）によって近似され、受診者の実年齢に対応する喪失歯の本数の平均値ｚ１は、この第３の近似式（１３）に受診者の実年齢を当てはめることによって算出される、
ｚ１＝Ｄ１｛（ｘ−２）／５−３）｝４＋Ｅ１｛（ｘ−２）／５−３）｝３＋Ｆ１｛（ｘ−２）／５−３）｝２＋Ｇ１｛（ｘ−２）／５−３）｝＋Ｈ１・・・（１３）
Ｄ１：−０．００１３
Ｅ１：０．０３７３
Ｆ１：−０．２３２６
Ｇ１：０．５７７５
Ｈ１：−０．３３９０
第３の近似式（１３）は、年齢（ｘ）と喪失歯の本数の平均値（ｚ１）との関係を表す近似式であり、詳細は後述する。
【００６２】
・受診者の喪失歯の本数と、受診者の実年齢に対応する喪失歯の理想目標との差Δ４について
受診者の喪失歯の本数と、喪失歯の理想目標との差Δ４は、次の数式に基づいて算出される。
Δ４＝受診者の喪失歯の本数喪-失歯の本数の理想目標-
マイナスは、喪失歯が理想目標より少ないので平均より良い状態、プラスは、喪失歯が理想目標より多いので理想目標より悪い状態を表す。
喪失歯の本数の理想目標は、８０歳で２０本以上の歯を達成するように理想的に推移する、年齢と喪失歯の本数の理想目標の関係が予め記憶されており、この理想的に推移する年齢と喪失歯の本数の関係に、受診者の実年齢を当てはめて算出される。
【００６３】
たとえば、年齢と喪失歯の本数の理想目標との関係は、次の第４の近似式（１４）によって近似され、受診者の実年齢に対応する喪失歯の本数の理想目標ｚ２は、この第４の近似式（１４）に受診者の実年齢を当てはめることによって算出される、
ｚ２＝Ｄ２（ｘ/５−２）４＋Ｅ２（ｘ/５−２）３＋Ｆ２（ｘ/５−２）２＋Ｇ２（ｘ/５−２）＋Ｈ２・・・・・・（１４）
Ｄ２：−０．０００７
Ｅ２：０．０２２６
Ｆ２：−０．１８３０
Ｇ２：０．５４５０
Ｈ２：−０．４３８３
第４の近似式（１４）は、年齢（ｘ）と喪失歯の本数の理想目標（ｚ２）との関係を表す近似式である。詳細は後述する。
【００６４】
・喪失歯の本数の平均値および理想目標と、年齢との関係を示すグラフＧ２
グラフＧ２に、第３の近似式（１３）に対応する第３の近似曲線Ｌ３および第４の近似式（１４）に対応する第４の近似曲線Ｌ４、受診者の(実年齢、喪失歯の本数)の座標位置に付されたマークＰ３が含められている。グラフの作成については、座標平面の大きさ、縦横の比率、背景の色が設定される。背景の色については、色分けされる。たとえば、第３の近似曲線Ｌ３より大きい領域Ａ１は赤、第３の近似曲線Ｌ３と第４の近似曲線Ｌ４の間の領域Ａ２の色は黄色、第４の近似曲線Ｌ４より小さい領域Ａ３は青として、直観的に悪い状況がわかるように色が設定される。また、受診者の実年齢と喪失歯の本数の座標位置にマークＰ２が付される
【００６５】
・早見表Ｔ１２について
早見表Ｔ１２は、第３の近似式（１３）、第４の近似式（１４）に、切りのいい年齢、図では、２０歳から５歳刻みで８０歳までの年齢を代入して得られた喪失歯の本数の平均と理想目標の値である。
早見表Ｔ１２を見れば、受診者の実年齢における、喪失歯の平均値、理想目標では何本になるか、おおよその見当をつけることができる。
【００６６】
図６は、かぶせ物に関する評価画面の一例である。
この評価画面３０４には、次の評価情報が表示される表示欄が設けられる。
・受診者のかぶせ物の歯の本数を表示する、かぶせ物の本数表示欄３４１
・かぶせ物の歯の本数と平均値との差を表示する差分表示欄３４３
・年齢と前記かぶせ物の歯の本数の関係のグラフＧ３
【００６７】
・受診者のかぶせ物の歯の本数と、かぶせ物の歯の平均本数との差Δ５について
かぶせ物の平均との差Δ５については、次の数式に基づいて算出される。
Δ５＝受診者のかぶせ物の歯の本数−かぶせ物の歯の本数の平均値-
マイナスは、かぶせ物が平均値より少ないので平均より良い状態、プラスは、かぶせ物が平均より多いので平均より悪い状態を表す。この引き算の順序を逆にすれば、マイナスは、平均より悪い状態、プラスは平均よりいい状態を表すことになる。
かぶせ物の歯の本数の平均値の算出は、厚生労働省の「歯科疾患実態調査」の統計データから求めた、年齢とかぶせ物の歯の本数の平均値との関係が予め記憶されており、この年齢とかぶせ物の歯の本数の平均値の関係に、受診者の実年齢を当てはめて算出される、
【００６８】
たとえば、年齢とかぶせ物の本数の理想目標との関係は、次の第５の近似式（１４）によって近似され、受診者の実年齢に対応するかぶせ物の歯の本数の理想目標ｗ１は、この第５の近似式（１５）に受診者の実年齢を当てはめることによって算出される。
ｗ１＝Ｉ１｛（ｘ−２）／５−３）｝６＋Ｊ１｛（ｘ−２）／５−３）｝５＋Ｋ１｛（ｘ−２）／５−３）｝４＋Ｌ１｛（ｘ−２）／５−３）｝３＋Ｍ１｛（ｘ−２）／５−３）｝２＋Ｎ１｛（ｘ−２）／５−３）｝＋Ｏ１・・・・・・（１５）
Ｉ１：−０．００００５６
Ｊ１：０．００２６６４
Ｋ１：−０．０４６２９５
Ｌ１：０．３５１８９８
Ｍ１：−１．０８５９６４
Ｎ１：１．５６７３９５
Ｏ１：−０．４０２９７６８４
この第５の近似式（１５）は、年齢（ｘ）とかぶせ物の本数の平均値（ｗ１）との関係を表す近似式である。詳細は後述する。
【００６９】
・かぶせ物の歯の本数の年齢ごとの平均値の変化を示すグラフＧ３、
グラフＧ３は、第５の近似式（１５）の第５の近似曲線Ｌ５、受診者の(実年齢、かぶ
せ物の歯の本数)の座標位置に付されたマークＰ３、が含まれている。グラフにＧ３には
、さらに、第５の近似曲線Ｌ５よりかぶせ物の歯が２本多い近似曲線Ｌ５２が表示されている。
グラフの作成については、座標平面の大きさ、縦横の比率、背景の色が設定される。背景の色については、色分けされる。たとえば、かぶせ物が平均より２本多い近似曲線Ｌ５２より大きい領域Ａ１は赤、近似曲線Ｌ５２と第５の近似曲線Ｌ５の間の領域Ａ２は黄色、第５の近似曲線Ｌ５より小さい領域Ａ３は青として、直観的に悪い状況がわかるように色が設定される。
【００７０】
かぶせ物が２本多い近似曲線Ｌ５２について
この近似曲線Ｌ５２の近似式は、以下の通りである。
ｗ２＝ｗ１＋２
＝Ｉ１｛（ｘ−２）／５−３）｝６＋Ｊ１｛（ｘ−２）／５−３）｝５＋Ｋ１｛（ｘ−２）／５−３）｝４＋Ｌ１｛（ｘ−２）／５−３）｝３＋Ｍ１｛（ｘ−２）／５−３）｝２＋Ｎ１｛（ｘ−２）／５−３）｝＋Ｏ１＋２・・・・・（１６）
平均よりもかぶせ物の歯が多いと、今後１０年の抜歯の危険度が平均よりも高い状態にある。２本以上多い場合は、１０年で２本以上抜歯になる可能性があり、特に注意が必要であり、注意を喚起するために、平均より２本多い近似曲線Ｌ５２を付加している。
【００７１】
図７は、今後の目標に関する評価画面の一例である。
評価画面３０５には、次の評価情報が含まれている。
この評価画面３０５には、次の評価情報が表示される表示欄が設けられる。
・歯の寿命進行レベルの１０年後の平均増加点数の増加点数表示欄３５２ａ、
・歯の寿命進行レベルの１０年後の平均増加点数の２５％減の増加点数表示欄３５２ｂ
・歯の寿命進行レベルの１０年後の平均増加点数の５０％減の増加点数表示欄３５２ｃ
・歯の寿命進行レベルの１０年後の平均増加点数の７５％点の増加点数表示欄３５２ｄ
【００７２】
１０年後の歯の寿命進行レベルの平均値の増加点数は、１０年後の歯の寿命進行レベルから実年齢における歯の寿命進行レベルを引いて算出される。１０年後の歯の寿命進行レベルは、式（１１）の年齢ｘに（実年齢+１０歳）を代入、実年齢における歯の寿命進行
レベルは、式（１１）の年齢ｘに実年齢を代入することによって、算出される。
１０年後の平均増加点数の２５％減の値は、１０年後の増加点数の（１００−２５）％として算出される。
１０年後の平均増加点数の５０％減の値は、１０年後の増加点数の（１００−５０）％として算出される。
１０年後の平均増加点数の７５％減の値は、１０年後の増加点数の（１００−７５）％として算出される。
このように、１０年後の歯の寿命進行レベルの平均値の増加点数、その２５％減、５０％、７５％減の点数を参考にし、受診者と歯科医師とで、数値をどの程度減らしていくか、目標値を決めることができる。なお、１０年後に限らず、所定の年数を経た後の増加点数を算出すればよい。
たとえば、受診者の現在の歯の寿命進行レベルが、平均値より悪い場合、平均値における増加数と同じに推移すれば、１０年経過した時点で、平均値からの差が同じである。平均値における増加数に対して、所定比率減じれば、１０年経過した時点で、平均値との差が縮小、あるいは平均値より小さくすることができる。また、平均値と同じであれば、理想目標に向けて、減点することで、理想曲線に近づけることができる。現在の寿命進行レベルと平均値との乖離度合いを勘案し、受診者と歯科医師との間で、客観的に、数値目標を設定することができる。
【００７３】
各評価画面３０２〜３０５は、互いにリンクされた複数のウェブページを有する文書として作成され、入力情報を入力すると、たとえば、最初に図４に示した歯の年齢に関する評価画面を生成して、歯科医療機関端末に送信して表示する。この歯の年齢に関する評価画面に、他のページへのリンクをつけておき、リンクをクリックすることによって、診断支援サーバは、要求されたページの評価画面を作成し、歯科医療機関端末に送信することによって、要求ページに遷移して閲覧することができる。
最初に開くページは、各ページの見出しが表示されたフロントページを生成して歯科医療機関端末１０に表示し、見出しをクリックすることで、閲覧するように構成してもよく、必要に応じてウェブページを作成することができる。
【００７４】
図８は、診断支援サーバ２００と歯科医療機関端末１０におけるシステム構成の一例を示している。
診断支援サーバ２００は、図８に示すように、通信部２０１と、入力情報を取得する取得部２０２と、入力情報や算出結果などを格納する受診者データベース２０６と、処理手順のプログラム、基準点数、統計データから求めた各種指標となるデータなどを記憶する記憶部２０４と、各種評価情報を算出する算出部２１０と、歯科医療機関端末１０に入力画面を表示する入力画面生成部２０３と、評価画面を歯科医院端末に表示する評価画面生成部２０５と、を備えている。
【００７５】
歯科医療機関端末１０は、通信部１０５を介して診断支援サーバ２００と送受信するもので、診断支援サーバ２００からの入力画面情報、評価画面情報を表示する表示部１０４と、入力画面に受診者の氏名、実年齢等の属性情報や数値などを入力する入力部１０３と、全体を統括する制御部１０２とを備えている。
【００７６】
診断支援サーバ２００は、上記した通り、この歯の診断支援システムに参加する歯科医院等の歯科医療機関端末１０から、通信回線４０を通じて、評価書作成の要求信号を受け取ると、取得部２０２によって、受診者の氏名、年齢、受診した歯科医院名、健全歯の本数、詰め物の本数、かぶせ物の本数、喪失歯の本数の情報、および受診者の歯列の画像情報を、受診者データベース２０６に互いに関連付けて格納する。
受診者データベース２０６には、入力情報の他に、算出部２１０にて算出される各種評価情報が格納される。
【００７７】
図９は、受診者データベース２０６に格納される情報の一例を示している。
受診者データベース２０６に格納される情報は、受診者の識別番号、受診者氏名、実年齢、歯科診療機関名、歯科診療機関の識別番号、受診日、健全歯の本数と点数、詰め物の本数と点数、かぶせ物の本数と点数、喪失歯の本数と点数、歯の寿命進行レベル、歯の年齢が互いに関連付けて格納されている。点数は、各歯の本数と基準点数を乗じた積の値である。
また、評価情報として、歯の年齢、歯の年齢と実年齢との差、歯の寿命進行レベルに対応する理想目標の年齢、理想目標と実年齢との差、喪失歯の本数と平均値との差、喪失歯の本数と理想目標との差、かぶせ物の歯の本数と平均との差、歯の寿命進行レベルの平均値の１０年後の増加点数、増加点数の２５％減、５０％減、７５％減の点数等が含まれる
。
さらに、歯列の画像データも含まれる。
【００７８】
次に、記憶部２０４に記憶されているデータについて説明する。
記憶部２０４には、入力画面２３０、歯の年齢についての評価画面３０２、喪失歯に関する評価画面３０３、かぶせ物に関する評価画面３０４、歯の寿命進行レベルの１０年後の増加点数に関する評価画面３０５について、それぞれの、ページのレイアウト、説明文等の定型画面構成が記憶されている。また、入力情報から歯の寿命進行レベルを算出する数式（１０）、また、第１近似式（１１）、第２近似式（１２）、第３近似式（１３）、第４近似式（１４）、第５近似式（１５）等の数式が記憶されている。さらに、歯の寿命進行レベルと年齢との関係を示すグラフＧ１、歯の寿命進行レベルの平均値と理想目標の年齢ごとの早見表Ｔ１１、喪失歯の本数の平均値および理想目標と、年齢との関係を示すグラフＧ２、年齢別の喪失歯を表形式の早見表Ｔ１２、年齢とかぶせ物の歯の本数の関係のグラフＧ３等の情報が記憶されている。
【００７９】
以下に、記憶部２０４に記憶されているこれらの情報について、説明する。
まず、各近似式について説明する。
これらの近似式は、厚生労働省が監修した「平成２８年歯科疾患実態調査  統計表」(
以下、単に「歯科疾患実態調査」という)に基づいて求めたものである。
【００８０】
・  第１の近似式について
第１の近似式（１１）は、年齢と歯の寿命進行レベルの平均値との関係を示す近似式である。
本発明では、歯の寿命進行レベルの平均値を求めるために、上記「歯科疾患実態調査」から、健全歯、詰め物、かぶせ物、および喪失歯に対応するデータを抽出し、数式（１０）に当てはめて、歯の寿命進行レベルの平均値を算出した。
図１０（Ａ）は、健全歯、詰め物、ＦＭＣ、Ｃｉ、Ｃｈ、欠損（喪失歯）についての点数表、図１０（Ｂ）は、健全歯、詰め物、ＦＭＣ、Ｃｉ、Ｃｈ、欠損（喪失歯）についての各年齢階級別の一人当たりの本数、図１０（Ｃ）は、健全歯、詰め物、ＦＭＣ、Ｃｉ、Ｃｈ、欠損（喪失歯）の点数と、本数とを掛け合わせ、掛け合わせた値を足し合わせた合計点数を示している。
図１０（Ｃ）の合計点数に、基礎点２点を加えたものが、本発明における歯の寿命進行レベルの平均値である。
【００８１】
各表において、ＦＭＣはかぶせ物に対応する。また、Ｃｉ、Ｃｈは未処置歯で、Ｃｉは、う蝕の程度が軽度もの、Ｃｈは、う蝕の程度が重度のものである。未処置歯を含めているのは、受診者の歯の悪化レベルの本数を数える際に、虫歯の場合には、治療後の状態で本数を入力しており、Ｃｉ，Ｃｈについても、治療後の状態を想定して設定する。
「歯科疾患実態調査」では、現在歯として、健全歯、未処置歯、処置歯（充填・クラウン・根面板）の３種類に分類されている。健全歯、未処置歯、処置歯は第三大臼歯（親知らず）が含められている。また喪失歯は第三大臼歯が含まれていない。本システムでは、すべて第三大臼歯を含めず、２８本を対象とする。第三大臼歯を含めると、人によって生えたり生えなかったりするので、結果が大きくばらつく原因となる。正確に歯の年齢評価をするために、第三大臼歯の項目を除外して平均値を算出している。
処置歯の内、充填（Ｆ）が（詰め物の有る歯）に対応し、クラウン（ＦＭＣ）が、（かぶせ物のある歯）に対応する。また、対象者を、１５歳以上とした。
なお、診療機関においては、未処置歯については、処置後のレベルで評価する。
【００８２】
健全歯、充填、かぶせ物、喪失歯は、いずれも、親知らずを除いたデータである。
データは、１歳刻みでは、バラツキが大きいので、５歳ごとの年齢階級の対象者数と喪
失本数に統一し、１人平均の喪失歯の本数を計算した。
【００８３】
健全歯のデータは、「統計表」の表III−２−１ａ「１人平均現在歯数・健全歯数・う
蝕（ＤＭＦ）歯数、年齢別（５歳以上・永久歯）」の健全歯の５歳刻みの本数から、親知らずの健全歯の本数を除いたものである。
親知らずの健全歯数は、「歯科疾患実態調査」の表Ｘ−１８（顎右側第３大臼歯）、Ｘ−２８（上顎左側第３大臼歯）、Ｘ−３８（下顎左側第３大臼歯）、Ｘ−４８（下顎右側第３大臼歯）についての、男女の総数のうち、健全歯の数である。
充填歯の数は、「歯科疾患実態調査」の表III−２−２「１人平均健全歯数・処置（Ｆ
）歯数（処置の内容別）・未処置（Ｄ）歯数（う蝕の程度別）、性・年齢階級別（５歳以上・永久歯）」の、年齢階級別（５歳刻み）の充填歯の総数から、親知らずのクラウンの処置歯の数を除去した数である。
【００８４】
親知らずの充填歯数は、「歯科疾患実態調査」の表Ｘ−１８（顎右側第３大臼歯）、表Ｘ−２８（上顎左側第３大臼歯）、表Ｘ−３８（下顎左側第３大臼歯）、表Ｘ−４８（下顎右側第３大臼歯）についての、男女の総数のうちの充填歯の本数である。
喪失歯の本数は、「歯科疾患実態調査」の表III−２−１ａ「１人平均現在歯数・健全
歯数・う蝕（ＤＭＦ）歯数、年齢別（５歳以上・永久歯）」の喪失歯の５歳刻みの年齢階級別の対象者数と喪失本数に基づくものである。
【００８５】
さらに、本実施形態では、歯の寿命進行レベルの平均値の計算に、未処置歯のデータを含めている。未処置歯は、統計データでは、う蝕の程度によって、軽度のもの（Ｃｉ）と、重度のもの（Ｃｈ）に分けられる。
未処置歯のデータは、「統計表」の表III−２−２「１人平均健全歯数・処置（Ｆ）歯
数（処置の内容別）・未処置（Ｄ）歯数（う蝕の程度別）、性・年齢階級別（５歳以上・永久歯）」の未処置歯のうち、う蝕の程度が、軽度（Ｃｉ）、重度（Ｃｈ）の５歳刻みの本数から、親知らずの健全歯の本数を除いたものである。
親知らずの未処置歯の数は、「歯科疾患実態調査」の表Ｘ−１８（顎右側第３大臼歯）、Ｘ−２８（上顎左側第３大臼歯）、Ｘ−３８（下顎左側第３大臼歯）、Ｘ−４８（下顎右側第３大臼歯）についての、男女の総数のうち、健全歯の数である。
【００８６】
未処置歯のうち、う蝕が軽度のもの（Ｃｉ）は詰め物と同じ点数とする。
う蝕が重度のもの（Ｃｈ）は、治療をすると、最終的にクラウンと抜歯の２通りに分かれるが、どちらになるか不明である。単純にクラウンの点数（２点）と喪失歯の点数（３．５点）の算術平均をとると、実態に合わないので、各年齢階級別に、クラウンの数ｍ１と、喪失歯の数ｍ２を加えた加重平均の重心位置を、その年齢階級におけるう蝕（Ｃｈ）の点数として計算している。
【００８７】
すなわち、クラウンの数ｍ１、喪失歯の数ｍ２を重みとすると、加重平均の重心位置ＸＧは、クラウンの点数（２点）と喪失歯の点数（３．５点）間の差（１．５点）を、ｍ２：ｍ１で内分した位置、
Ｘｇ＝２点＋１．５点×｛ｍ２／（ｍ１＋ｍ２）｝
となる。
【００８８】
例えば、クラウンが６本（ｍ１）、喪失歯の３本（ｍ２）の場合、
クラウン：喪失歯＝６：３
であり、クラウンの点数と喪失歯の点数の間を、
｛３／（６＋３）｝
で、内分した位置となる。
クラウンは２点、抜歯は３．５点で、差が１．５点であり、
１．５点×（１／３）＋２＝２．５点
となる。
この計算を、年齢階級ごとに行った結果が、図１０（Ａ）の点数表である。
【００８９】
図１１には、図１０（Ｃ）から得た歯の寿命進行レベル（合計点数＋２点）の点数の平均値を、縦軸、年齢を横軸にして示す散布図と、各年齢階級の中間年齢の近似曲線Ｌ０を示している。
歯の寿命進行レベルの平均値は、５年の年齢階級ごとの平均値であり、１歳刻みの平均値は不明である。そこで、平均値を、各年齢階級の中間年齢における値とし、その近似曲線を求めて、１歳刻みの歯の寿命進行レベルの指標としている。この中間年齢として、この実施形態では、５年の年齢階級を２で割った２．５年を中間としている。すなわち、図１１では、２２．５歳、２７．５歳、３２．５歳、３７．５歳、４２．５歳、４７．５歳、５２．５歳、５７．５歳、６２．５歳、６７．５歳、７２歳．５、７７．５歳、８２．５歳における歯の寿命進行レベルの座標位置が、白丸として表示されている。中間年齢としては、２２歳から５歳刻みで、２７歳、３２歳、・・・、８２歳としてもよいし、２３歳から５歳刻みで、２８歳、３３歳、・・・８３歳としてもよいし、他の中間的な年齢を選択してもよい。
この各年齢階級の中間年齢の近似曲線Ｌ１０の近似式（１０）から、切りのいい年齢での歯の寿命進行レベルの平均値を求め、理想目標、１０年悪いデータ、２０年悪いデータの基礎データとして利用する。
図１１に示される近似曲線Ｌ１０は２次の多項式近似曲線であり、その近似式が、以下の基礎データの近似式（１０）である。
ｙ０＝Ａ０（ｘ／５−３．５）２＋Ｂ０（ｘ／５−３．５）＋Ｃ０・・・・・・（１０）
Ａ０：０．２１６５
Ｂ０：１．５２２９
Ｃ０：４．４５７１０
（ｘ／５−３．５）は、（ｘ−１７.５）／５の意味である。すなわち、１７．５歳が
ゼロ、中間点である２２．５歳，２７．５歳，・・・７７.５歳，８２．５歳と、５歳刻
みで、１，２，・・・１２、１３となるように横軸座標をとっている。この座標の取り方は任意であるし、数式を展開することもできる。
この中間年齢の近似式（１０）のｘに、切りのいい年齢を入れて、各年齢における歯の寿命進行レベルの平均値とする。
切りのいい年齢は、２０歳、２５歳、３０歳、３５歳、４０歳、４５歳、５０歳、５５歳、６５歳、７０歳、７５歳、８０歳である。
【００９０】
図１２（Ａ）は、切りのいい年齢における、基礎点を含まない歯の寿命進行レベルの平均値、基礎点を含む歯の寿命進行レベルの平均値、理想目標、１０歳悪いデータおよび２０歳悪いデータをまとめた表、図１２（Ｂ）は、（Ａ）のデータの近似曲線を描いたグラフである。
切りのいい年齢は、２０歳、２５歳、３０歳、３５歳、４０歳、４５歳、５０歳、５５歳、６５歳、７０歳、７５歳、８０歳である。
図１２（Ｂ）に示される第１の近似曲線Ｌ１は、図１２（Ａ）の基礎点を含む歯の寿命進行レベルの平均値のデータの２次の多項式近似曲線であり、その近似式が、以下の第１の近似式（１１）である。
ｙ１＝Ａ１（ｘ／５−３）２＋Ｂ１（ｘ／５−３）＋Ｃ１・・・・・・（１１）
Ａ１：０．２１６５
Ｂ１：１．５２２９
Ｃ１：４．４５７１０
この（ｘ／５−３）は、（ｘ−１５）／５の意味である。すなわち、１５歳がゼロとなり、節目となる２０歳，２５歳，・・・７５歳，８０歳と、歳と５歳刻みで、１，２，・
・・１２、１３となるように、グラフの横軸の座標をとったものである。この座標自体は、グラフＧ１の原点位置や、大きさ等に応じて任意に選択される。この第１の近似式（１１）と中間年齢の近似式（１０）は、展開すれば、同じである。
【００９１】
・第２の近似式（１２）について
次に、第２の近似式（１２）について説明する。
第２の近似式（１２）は、年齢と歯の寿命進行レベルの理想目標との関係を示す数式である。
理想目標は、８０歳で２０本の歯が残るように、歯の寿命進行レベルが理想的に進行する仮想モデルとして設定される。この実施形態では、歯の寿命進行レベルの平均値のデータを基にして、理想目標値が設定されている。すなわち、喪失歯の本数の平均値が８本以下となる年齢における歯の寿命進行レベルの平均値の点数を、８０歳における歯の寿命進行レベルの理想目標の点数とする。
この８０歳における歯の寿命進行レベルの基礎点を含まない理想目標と基礎点を含まない平均値との比率を求め、他の年齢についても、この比率となるように、平均値から理想目標の点数を求めて年齢と理想目標の仮想モデルとし、第２の近似曲線Ｌ２および第２の近似式（１２）が導かれる。
【００９２】
以下に、各年齢の理想目標の求め方について説明する。
図１２（Ａ）の表において、８０歳での寿命進行レベルの理想目標ｙ２（８０）の点数４６．５９０の出所は、７０歳の寿命進行レベルの平均値ｙ１（７０）である。この７０歳での喪失歯の平均値は、後述する図１３（Ｂ）に示すように、約７．７本と８本を下回っている。そこで、８０歳の歯の寿命進行レベルの理想目標の値を、この７０歳での、歯の寿命進行レベルの平均値に設定した。８０歳の寿命進行レベルの平均値ｙ１（８０）は、少数点第４位を四捨五入すると、６０．０２８点であり、まず、８０歳での理想目標を平均値の７０歳のレベルまで減少させたとして、平均値に対する理想目標の寿命進行レベルの減少率αを計算する。
【００９３】
減少率αの計算は、次の通り、それぞれの数値から、基礎点２を引いて比率を計算する。
α＝（ｙ２（８０）−２）／（ｙ１（８０）−２））
＝（４６．５９０−２）÷（６０．０２８−２）
＝０．７６８４倍
この減少率αを係数とし、各年齢について、平均値の寿命進行レベルから理想目標を演算する。
例えば２０歳での寿命進行レベルの平均値ｙ１（２０）は、５．３８１で、これに減少率αを乗じるが、その前に平均値から基礎点(２点)を引き、減少率αを乗じたのち、基礎点を加える。
すなわち、
ｙ２（２０）＝（（ｙ１（２０）−２）*α＋２
＝（５．３８１−２）*０．７６８４＋２
＝４．５９８
同様に、２１〜７９歳について、
ｙ２（ｘ）＝（ｙ１（ｘ）−２）*α＋２
を演算する。
すなわち、寿命進行レベルの平均値ｙ１から２点を引いて、それに減少率α（０．７６８４２倍をかけてから基礎点（＋２点）を足して、各年齢における理想目標の点数が計算される。
【００９４】
この各年齢の理想目標のデータの多項式近似曲線が、理想目標の第２の近似曲線Ｌ２で
ある。この第２の近似曲線Ｌ２の第２の近似式（１２）を再掲すると、次の通りである。ｙ２＝Ａ２（ｘ／５−３）２＋Ｂ２（ｘ／５−３）＋Ｃ２・・・・・・（１２）
Ａ２：０．１６６４
Ｂ２：１．１７０２
Ｃ２：３．２６０２
なお、この例では、たまたま、平均値が８本に近い７０歳の本数（７．６６０本）を８０歳の本数に設定しているが、８０歳で８本以下であればよく、７０歳の本数には限定されず、８本以下の任意の本数の場合の年齢での、歯の寿命進行レベルの平均値を８０歳における理想目標値に設定すればよい。
【００９５】
１０歳悪い例の近似曲線Ｍ１０、２０歳悪い例の近似曲線Ｍ２０も、理想目標の第２の近似曲線Ｌ２と同様に演算する。
１０歳悪い例
１０歳悪い例では、８０歳で、７５．１９８となっている。この数値の出所は、図１２（Ａ）の寿命進行レベルの平均値の９０歳の値である。平均値では、８０歳では、６０．０２８点であり、ここからそれぞれ、基礎点２を引いて、悪化する増加率β１０を計算する。
β１０＝（ｙ３（８０）−２）／（ｙ１（８０）−２））
＝（７５．１９８−２）÷（６０．０２８−２）
＝１．２６１４３倍
例えば２０歳では、寿命進行レベルの平均値ｙ１（２０）は、５．３８１であり、次に示すように、基礎点(２点)を引いた値に、増加率β１０を掛け、その後、２点を加算する。
ｙ３（２０）＝（（ｙ１（２０）−２）*β１０＋２
＝（５．３８１−２）*１．２６１３４＋２
＝６．２６４
同様に、２１〜７９歳について、５歳刻みで、
ｙ３（ｘ）＝（ｙ１（ｘ）−２）*β１０＋２
を演算する。
すなわち、平均値ｙ１から２点を引いて、それに増加率β１０（１．２６１３４倍）をかけてから＋２点足した値が、図１２（Ａ）の表の１０歳悪い例のデータである。
【００９６】
この１０歳悪い例のデータの多項式近似曲線が、図１２（Ｂ）に示す１０歳悪い例の近似曲線Ｍ１０であり、この１０歳悪い近似曲線Ｍ１０の近似式は、以下の通りである。
ｙ３＝Ａ３（ｘ／５−３）２＋Ｂ３（ｘ／５−３）＋Ｃ３・・・・・・（２１）
Ａ３：０．２７３１
Ｂ３：１．９２１
Ｃ３：４．０７０７
【００９７】
次に、２０歳悪い例について説明する。
２０歳悪い例では、８０歳で、９２．０９９とする。この数値の出所は、図１２（Ａ）の寿命進行レベルの平均値の１００歳の値である。平均値の８０歳では、６０．０２８点であり、ここからそれぞれ、基礎点２を引いて、悪化する増加率β２０を計算する。
β２０＝（ｙ４（８０）−２）／（ｙ１（８０）−２））
＝（９２．０９９−２）÷（６０．０２８−２）
＝１．５５２６８
この増加率β２０を係数とする。
例えば２０歳では、寿命進行レベルの平均値ｙ１（２０）は、５．３８１であり、次に示すように、基礎点(２点)を引いた値に、増加率β２０(１．５５２６８倍)を掛け、その後、２点を加算する。
ｙ４（２０）＝（（ｙ１（２０）−２）×β２０
＝（５．３８１−２）×１．５５２６８＋２
＝７．２４９
同様に、２１〜７９歳について、５歳刻みで、
ｙ４（ｘ）＝（ｙ１（ｘ）−２）×β２０＋２
を演算する。
すなわち、平均値ｙ１から２点を引いて、それに増加率β２０をかけてから＋２点足した値が、図１２（Ａ）の表の２０歳悪い例のデータである。
【００９８】
この２０歳悪いデータの多項近似曲線が、図１１（Ｂ）に示す２０歳悪い近似曲線Ｍ２０であり、その２０歳悪い近似式ｙ４は、以下の通りである。
ｙ４＝Ａ４（ｘ／５−３）２＋Ｂ４（ｘ／５−３）＋Ｃ４・・・・・・（２２）
Ａ４：０．３１６２
Ｂ４：２．３６４６
Ｃ４：４．５４３８
１０歳、２０歳悪い例を示しておけば、受診者の実年齢での歯の寿命進行レベルの値が、平均値に対してどの程度悪いのか、その目安とすることができる。この平均より悪い例は、１０歳、２０歳に限らず、３年、５年でもよいし、１年でもよく、任意の例を設定することができる。
【００９９】
早見表Ｔ１１について
早見表Ｔ１１は、第１の近似式（１１）、第２の近似式（１２）を用いて、年齢に対応する歯の寿命進行レベルの平均値、理想目標値を演算した値を、表形式のデータとして記憶部２０４に記憶している。
すなわち、目安となる年齢について、第１の近似式（１１）、第２の近似式（１２）に代入し、歯の寿命進行レベルの平均値、理想目標値を求めている。年齢は、切りのいい年齢、２０歳、２５歳、３０歳、３５歳、４０歳、４５歳、５０歳、５５歳、６０歳、６５歳、７０、７５歳、８０歳と、５歳刻みとしたもので、図１２（Ａ）の表の平均値、理想目標の数値に該当する。早見表Ｔ１１は、少数点２位を四捨五入して、少数点一位までの表示となっている。
【０１００】
これら、第１の近似式（１１）、第２の近似式（１２）、１０歳悪い例の近似式（１３）、２０歳悪い例の近似式（１４）、第１の近似曲線Ｌ１，第２の近似曲線Ｌ２、１０歳悪い例の近似曲線Ｍ１０、２０歳悪い例の近似曲線Ｍ２０のデータ、早見表Ｔ１１のデータは、記憶部２０４に記憶されている。
以上説明したように、この実施例では、厚生労働省の「歯科疾患実態調査」の統計データの５歳刻みの年齢階級の平均値を基礎データとして、中間年齢での平均値の散布図の近似曲線Ｌ０の近似式（１０）を求め、この近似式（１０）から、切りのいい５歳刻みの年齢の、歯の寿命進行レベルの平均値のデータを算出し、この５歳刻みのデータの散布図から、第１の近似曲線Ｌ１の第１の近似曲線Ｌ１を求め、求めた第１の近似式（１１）によって、患者の歯の年齢を求めている。しかし、歯の年齢を求める方法は、このように近似式を用いることに限定されない。
たとえば、記憶部に、中間年齢での基礎データの近似式（１０）から、１歳刻みの歯の寿命進行レベルの平均値を演算し、年齢と、その年齢での歯の寿命進行レベルの平均値のデータを関連付けて格納したテーブルを持っておき、このテーブルから、歯の年齢を求めるようにしてもよい。この場合、テーブルが、本発明の統計データから求めた、年齢と歯の寿命進行レベルの平均値との関係となる。
【０１０１】
図２４は、テーブルの一例である。このテーブルには、歯の寿命進行レベルの平均値の他に、歯の寿命進行レベルの理想目標、１０年悪い例、２０年悪い例のデータが格納され
ている。
歯の年齢を求める場合は、患者の歯の寿命進行レベルが、テーブルに記憶されている一歳刻みの歯の寿命進行レベルの平均値の、どの範囲に入っているかを求めることにより、歯の年齢を決定する。歯の年齢の決定は、患者の歯の寿命進行レベルの点数が、下位の年齢（ｎ歳）の数値以上で、一歳上の上位の年齢（（ｎ+１）歳）の数値未満の場合には、
下位のｎ歳の年齢とする。たとえば、ある患者の歯の進行レベルの点数が、６８歳の数値以上〜６９歳の数値未満の場合には、６８歳とする。
また、歯の寿命進行レベルの理想目標についても、一歳刻みの年齢について演算し、テーブルに記憶しておき、歯の年齢と同様に、歯の年齢の理想目標を、テーブルから求めることができる。
このように、歯の寿命進行レベルの平均値について、一歳刻みのデータのテーブルを用いれば、特に、近似式は不要で、テーブルがあればよい。
また、グラフについても、年齢と歯の寿命進行レベルの散布図の近似曲線ではなく、一歳刻みの歯の寿命進行レベルの平均値、理想目標の散布図のデータの点を、直線や曲線で結ぶようにしてもよいし、散布図ではなく、折れ線グラフを描いてもよい。
また、１０年悪いデータ、２０年悪いデータについても、５歳刻みではなく、一歳刻みの歯の寿命進行レベルの平均値に基づいて、一歳刻みのデータを作成し、データの点を直線や曲線で結ぶ散布図、あるいは折れ線グラフによって形成することもできる。
【０１０２】
・第３の近似式（１３）、第４の近似式（１４）について
次に、第３の近似式（１３）及び第４の近似式について、図１３を参照して説明する。
図１３（Ａ）は、図１０（Ｂ）の年齢階級の中間値と喪失歯(欠損)の本数の平均値との関係を示す表、図１３（Ｂ）は、切りのいい年齢別の喪失歯の本数の平均値、理想目標をまとめた表、図１３（Ｃ）は、年齢階級の中間値の近似曲線、図１３（Ｄ）は、年齢と喪失歯の本数の平均値及び理想目標との関係を示すグラフである。
【０１０３】
まず、図１３（Ａ）の5歳刻みの年齢階級の喪失歯の本数の平均値を基礎データとして
、図１３（Ｃ）に示すように、中間年齢での平均値の散布図の近似曲線Ｌ３から第３の近似式を得る。
図１３（Ｃ）は、年齢（ｘ）を横軸、喪失歯本数（ｚ）を縦軸とし、各年齢階級の中間点（中間年齢）として、２２歳、２７歳、３２歳、３７歳、４２歳、４７歳、５２歳、５７歳、６２歳、６７歳、７７歳、８２歳での喪失歯の本数の平均値の座標位置が白丸として表示されている。
この各年齢階級の中間値の喪失歯の本数の平均値の多項式近似曲線が、第３の近似曲線Ｌ３である。
【０１０４】
第３の近似曲線Ｌ３は４次の多項式近似曲線であり、その近似式が、以下の第３の近似式（１３）である。
ｚ１＝Ｄ１｛（ｘ−２）／５−３）｝４＋Ｅ１｛（ｘ−２）／５−３）｝３＋Ｆ１｛（ｘ−２）／５−３）｝２＋Ｇ１｛（ｘ−２）／５−３）｝＋Ｈ１・・・（１３）
Ｄ１：−０．００１３
Ｅ１：０．０３７３
Ｆ１：−０．２３２６
Ｇ１：０．５７７５
Ｈ１：−０．３３９０
｛（ｘ−２）／５−３）｝は、（ｘ−１７）／５であり、１７歳がゼロ、中間年齢である年齢（２２歳，２７歳，・・・７７歳，８２歳）が、５歳刻みで、１，２，・・・１２、１３となるように横軸の座標をとっている。この座標の取り方は任意であるし、数式を展開してもよい。
中間年齢としては、歯の寿命進行レベルの平均値と同様に、２２．５歳から５歳刻みで
、２７．５歳、３２．５歳、・・・、８２．５歳としてもよいし、２３歳から５歳刻みで、２８歳、３３歳、・・・８３歳としてもよいし、他の中間的な年齢を選択してもよい。
【０１０５】
・喪失歯の本数の理想目標について
次に、この第３の近似式（１３）に、切りのいい年齢を代入し、図１３（Ｂ）に示すように、切りのいい年齢での、喪失歯の本数の平均値を算出し、さらに、この喪失歯の本数の平均値を利用して、理想目標の値を算出する。
理想目標は、８０歳で２０本の歯が残るように、喪失歯の本数が理想的に進行する仮想モデルとして設定される。
この実施形態では、喪失歯の平均値のデータを基にして、理想目標値を設定している。図１３（Ｂ）において、喪失歯の本数の平均値が８本以下となる年齢は７０歳であり、この実施形態では、７０歳での本数（７．６６０２本）を８０歳における喪失歯の理想目標の本数とする。
この８０歳における喪失歯の本数と平均値との比率を求め、他の年齢についても、この比率となるように、平均値から理想目標の本数を求めて年齢と理想目標の仮想モデルとする。
【０１０６】
８０歳における喪失歯の本数と平均値との比率γは、（７．６６０２／１１．８５７７）で、０．６４６０となり、この比率となるように、平均値のデータにγを掛けた値を、喪失歯の理想目標として記載したのが、図１３（Ｂ）に示した理想目標の本数である。
この図１３（Ｂ）のデータをグラフに示したのが、図１３（Ｄ）であり、Ｌ４が、理想目標の第４の近似曲線であり、この例では４次の多項式近似曲線で近似している。この第４の近似式（１４）を再掲すると、次の通りである。
ｚ２＝Ｄ２（ｘ/５−２）４＋Ｅ２（ｘ/５−２）３＋Ｆ２（ｘ/５−２）２＋Ｇ２（ｘ/５−２）＋Ｈ２・・・・・・（１４）
Ｄ２：−０．０００７
Ｅ２：０．０２２６
Ｆ２：−０．１８３０
Ｇ２：０．５４５０
Ｈ２：−０．４３８３
（ｘ／５−２）は、（ｘ−１０）／５の意味である。すなわち、１０歳をゼロとし、５歳刻みで、１，２，・・・１２、１３となるように横軸の座標をとっている。この座標の取り方は任意であるし、数式を展開してもよい。
なお、この例では、たまたま、平均値が８本に近い７０歳の本数（７．６６０２本）を８０歳の本数に設定しているが、７０歳の本数には限定されず、８０歳で、８本以下の任意の本数に設定することができる。
【０１０７】
早見表Ｔ１２について
早見表Ｔ１２は、第３の近似式（１３）、第４の近似式（１４）を用いて、年齢に対応する喪失歯の平均値、理想目標値を演算した値を、表形式のデータとして記憶部２０４に記憶される。
すなわち、目安となる年齢について、第３の近似式（１３）、第４の近似式（１４）に代入し、喪失歯の本数の平均値、理想目標値を求めている。年齢は、切りのいい年齢、２０歳、２５歳、３０歳、３５歳、４０歳、４５歳、５０歳、５５歳、６０歳、６５歳、７０、７５歳、８０歳と、５歳刻みとしたもので、図１３（Ｂ）の表の平均値、理想目標の本数に該当する。この早見表Ｔ１２は、少数点２位を四捨五入して、少数点一位までの表示となっている。
これら、第３の近似式（１３）及び第４の近似式（１４）、さらに、第３の近似曲線Ｌ３，第４の近似曲線Ｌ４のグラフのデータ、早見表Ｔ１２のデータも、記憶部２０４に記憶されている。
この実施例では、第３の近似式（１３）から患者の実年齢に対応する喪失歯の本数の平均値、さらに、第４の近似式（１４）から理想目標を求めているが、上記した歯の年齢の場合と同様に、年齢と喪失歯の本数の平均値、理想目標値を一歳刻みで格納したテーブルから、患者の実年齢に対応する喪失歯の本数の平均値、理想目標を求めてもよい。
特に、図示しないが、記憶部に、第３の近似式（１３）から、１歳刻みの喪失歯の本数の平均値を演算して、テーブルに格納しておく。理想目標についても、喪失歯の本数の平均値に基づいて、１歳刻みで演算し、テーブルに格納しておく。このテーブルを用いて、喪失歯の本数の平均値、理想目標を求めることができる。この場合、テーブルが、本発明の統計データから求めた、年齢と、喪失歯の本数の平均値および理想目標値の関係となる。
また、グラフについても、年齢と喪失歯の本数の平均値および理想目標について、散布図の近似曲線ではなく、一歳刻みの歯の寿命進行レベルの平均値、理想目標の散布図のデータの点を、直線や曲線で結ぶようにしてもよいし、散布図ではなく、折れ線グラフを描いてもよい。
【０１０８】
第５の近似式（１５）について
次に、第５の近似式（１５）について、図１４を参照して説明する。
図１４（Ａ）は、図１０（Ｂ）の年齢階級の中間値とかぶせ物（ＦＭＣ）から根面板を除いた本数の平均値との関係を示す表を示している。
【０１０９】
図１４は、図１０（Ｂ）の表にある、かぶせ物の歯の本数の年齢ごとの平均値に対応する第５の近似曲線Ｌ５である。
かぶせ物の歯の本数は、「歯科疾患実態調査」の表III−２−２「１人平均健全歯数・
処置（Ｆ）歯数（処置の内容別）・未処置（Ｄ）歯数（う蝕の程度別）、性・年齢階級別（５歳以上・永久歯）」の、年齢階級別（５歳刻み）のクラウン（非支台歯）、クラウン（支台歯）の総数から、親知らずのクラウンの処置歯の数を除去した数である。親知らずのクラウンの処置数は、「歯科疾患実態調査」の表Ｘ−１８（顎右側第３大臼歯）、Ｘ−２８（上顎左側第３大臼歯）、Ｘ−３８（下顎左側第３大臼歯）、Ｘ−４８（下顎右側第３大臼歯）についての、男女の総数のうち、クラウン（非支台歯）、クラウン（支台歯）、根面板の和である。III−２−２処置数のクラウンは、根面板を含まない。根面板の数
は、ごく少ないので、本実施形態では根面板の数は含めていないが、根面板を含めてもよい。
【０１１０】
図１４（Ｂ）は、年齢とかぶせ物の本数の平均値との関係を示すグラフである。
このグラフは、年齢（ｘ）を横軸、かぶせ物の本数（ｗ）を縦軸とし、各年齢階級の中間年齢として、２２歳、２７歳、３２歳、３７歳、４２歳、４７歳、５２歳、５７歳、６２歳、６７歳、７７歳でのかぶせ物の本数の平均値の座標位置が白丸として表示されている。中間年齢としては、歯の寿命進行レベルの平均値と同様に、２２．５歳から５歳刻みで、２７．５歳、３２．５歳、・・・、８２．５歳としてもよいし、２３歳から５歳刻みで、２８歳、３３歳、・・・８３歳としてもよいし、他の中間的な年齢を選択してもよい。この各年齢階級の中間年齢のかぶせ物の本数の平均値の多項式近似曲線が、第５の近似曲線Ｌ５である。
【０１１１】
この第５の近似曲線Ｌ５は６次の多項式近似曲線であり、その近似式が、以下の第５の近似式（１５）である。
ｗ１＝Ｉ１｛（ｘ−２）／５−３）｝６＋Ｊ１｛（ｘ−２）／５−３）｝５＋Ｋ１｛（ｘ−２）／５−３）｝４＋Ｌ１｛（ｘ−２）／５−３）｝３＋Ｍ１｛（ｘ−２）／５−３）｝２＋ＮＧ１｛（ｘ−２）／５−３）｝＋Ｏ１・・・・・・（５）
Ｉ１：−０．００００５６
Ｊ１：０．００２６６４
Ｋ１：−０．０４６２９５
Ｌ１：０．３５１８９８
Ｍ１：−１．０８５９６４
Ｎ１：１．５６７３９５
Ｏ１：−０．４０２９７６８４
｛（ｘ−２）／５−３）｝は、（ｘ−１７）／５の意味である。すなわち、１７歳がゼロ、中間年齢である年齢（２２歳，２７歳，・・・７７歳，８２歳）と、５歳刻みで、１，２，・・・１２、１３となるように横軸の座標をとっている。この座標の取り方は任意であるし、数式を展開してもよい。
【０１１２】
次に、算出部２１０について説明する。
（歯の寿命進行レベルの算出）
算出部２１０は、記憶部２０４に記憶されている計算式（１０）を読み出して計算処理を実行し、歯の寿命進行レベルを算出して受診者データベース２０６に格納する。
たとえば、健全歯を２２本、詰め物が４本、かぶせ物が２本、喪失歯が１本の場合は、歯の寿命進行レベルは１３．５点となる。
【０１１３】
・歯の年齢、および歯の年齢と実年齢との差分の算出
歯の年齢の算出は、記憶部２０４に記憶されている第１の近似式（１１）を読み出し、計算式（１０）で計算した受診者の歯の寿命進行レベルの値を代入して、年齢ｘの解を算出する。二次関数で、解は２つ出てくるので、プラスの解を、受診者の歯の年齢として受診者データベース２０６に格納する。さらに、理想目標から実年齢を引いて、差分を算出し、受診者データベースに格納する。この差については、プラス、マイナスを明確にしておく。
【０１１４】
・理想目標、および理想目標と実年齢との差分の算出
理想目標の算出は、記憶部２０４に記憶されている第２の近似式（１２）を実行するプログラムを読みだし、計算式（１０）で計算した受診者の歯の寿命進行レベルの値を代入して、年齢ｘの解を算出する。二次関数で、解は２つ出てくるので、プラスの解を、受診者の理想目標とし、さらに、理想目標から実年齢を引いて、差分を算出し、受診者データベースに格納する。この差分についても、プラス、マイナスを明確にしておく。
【０１１５】
・受診者の喪失歯の本数と平均値との差の算出
算出部２１０は、記憶部２０４に記憶されている、年齢と喪失歯の平均値の関係を示す第３の近似式（１３）を読み出し、第３の近似式（１３）に受診者データベースから読み出した実年齢を代入し、受診者の実年齢に対応する喪失歯の平均本数を算出して受診者データベース２０６に格納する。さらに、受診者データベースから読み出した受診者の喪失歯の本数から、受診者の実年齢での喪失歯の平均値を引いて差を算出し、受診者データベース２０６に格納する。平均より良い状態はマイナス、平均より悪い状態はプラスとなるので、プラス、マイナスを明確にする。
【０１１６】
・受診者の喪失歯の本数と理想目標との差の算出
算出部２１０は、記憶部２０４に記憶されている、年齢と喪失歯の理想目標の関係を示す第４の近似式（１４）を読み出し、第４の近似式（１４）に受診者データベース２０６から読み出した実年齢を代入し、受診者の実年齢に対応する喪失歯の理想目標を算出して受診者データベース２０６に格納する。さらに、受診者データベースから読み出した受診者の喪失歯の本数から、受診者の実年齢での喪失歯の理想目標を引いて差を算出し、受診者データベース２０６に格納する。平均より良い状態はマイナス、平均より悪い状態はプラスとなるので、プラス、マイナスを明確にする。
【０１１７】
・かぶせ物の歯の本数と平均との差の算出
算出部２１０は、記憶部２０４に記憶されている、年齢とかぶせ物の歯の平均値の関係を示す第５の近似式（１５）に、受診者データベース２０６から読み出した実年齢を代入し、受診者の実年齢に対応するかぶせ物の歯の平均本数を算出し、受診者のかぶせ物の歯の本数から受診者の実年齢でのかぶせ物の歯の平均本数を引いて差を算出し、受診者データベースに格納する。受診者の実年齢に対応するかぶせ物の歯の平均本数を受診者データベース２０６に格納してもよい。
【０１１８】
・歯の寿命進行レベルの平均値の１０年後の増加点数の算出
算出部２１０は、記憶部２０４に記憶されている第１の近似式（１１）を読み出し、受診者データベース２０６から読み出した受診者の実年齢を代入して対応する歯の寿命進行レベルの平均値を算出し、さらに、実年齢より１０歳上の年齢を代入して対応する歯の寿命進行レベルの平均値を算出し、その増加点数を演算して、歯の寿命進行レベルの平均値の１０年度の増加点数として、受診者データベース２０６に格納する。さらに、この増加点数の２５％の値、５０％の値、および７５％の値を演算して受診者データベース２０６に格納する。
たとえば、実年齢が４５歳の受診者の場合には、対応する年齢の歯の寿命進行レベルの平均値は、１８．５７２９点、５５歳では２７．６８０７点、１０年後の増加点数は、９．１０７８となる。また、増加点数の２５減の値は、６．８３０９、５０％減の値は、３．４４３９、７５％減の値は、２．２７７０となる。
【０１１９】
評価画面生成部２０５
評価画面生成部２０５は、歯科医療機関端末１０から、評価画面の要求を受信すると、評価画面を生成して、歯科医療機関端末１０に送信する。
たとえば、評価画面の要求があると、最初に、歯の年齢に関する評価画面３０２が生成されて、歯科医療機関端末１０に送信され、歯科医療機関端末１０のディスプレイに、歯の年齢に関する評価画面３０１が表示される。この最初に表示された評価画面３０１には、他の評価画面へのページのリンクが付されており、リンクをクリックすると、対応する評価画面の生成要求が診断支援サーバ２００に送信され、診断支援サーバ２００において、評価画面生成部２０５が、対応する評価画面を生成する。
たとえば、喪失歯に関する評価画面を要求した場合には、喪失歯に関する評価画面３０２が生成されて、歯科医療機関端末１０に送信され、歯科医療機関端末１０の画面は、歯の年齢に関する評価画面３０１から、喪失歯に関する評価画面３０２に遷移する。かぶせ物の評価画面３０３、今後の目標に関する評価画面についても、同様であり、歯科医療機関端末１０においては、これら、歯の年齢に関する評価画面３０１、喪失歯に関する評価画面３０２、かぶせ物に関する評価画面３０３、今後の目標に関する評価画面３０４を、リンクをクリックすることによって、任意の画面を閲覧することができる。
【０１２０】
歯の年齢に関する評価画面３０１の生成
歯の年齢に関する評価画面３０１の生成は、予め、記憶部２０４に記憶されている定型文書を読み出し、定型文書の各情報入力欄に、受診者データベース２０６から、評価情報を読み出して組み込むことで生成される。すなわち、受診者データベース２０６から、歯の寿命進行レベル、受診者の歯の年齢、歯の年齢と実年齢との差、歯の年齢と理想目標との差を読み出して、定型文書に組み込む。
定型文書には、歯の寿命進行レベルの平均値と年齢との関係を示すグラフＧ１、歯の寿命進行レベルの平均値と理想目標の年齢ごとの早見表Ｔ１１が、定型の情報として組み込まれている。グラフＧ１については、受診者の実年齢と歯の寿命進行レベルの座標位置にマークＰ１が付される。
【０１２１】
喪失歯に関する評価画面３０２の生成
歯の年齢に関する評価画面３０２の生成は、予め、記憶部２０４に記憶されている定型文書を読み出し、定型文書の各情報入力欄に、受診者データベース２０６から、評価情報を読み出して組み込むことで生成される。すなわち、受診者データベース２０６から、受診者の喪失歯の本数、受診者の喪失歯の本数と受診者の実年齢に対応する喪失歯の平均本数との差、受診者の喪失歯の本数と受診者の実年齢に対応する喪失歯の理想目標の本数との差を読み出し、定型文書の該当箇所に組み込む。
定型文書には、喪失歯の本数の平均値および理想目標と年齢との関係を示すグラフＧ２、喪失歯の本数の平均値および理想目標の年齢ごとの早見表Ｔ１２が、定型の情報として組み込まれている。グラフＧ２については、受診者の実年齢と喪失歯の本数の座標位置にマークＰ２が付される。
【０１２２】
かぶせ物に関する評価画面３０３の生成
かぶせ物に関する評価画面３０３の生成は、予め、記憶部２０４に記憶されているかぶせ物に関する定型文書を読み出し、定型文書の各情報入力欄に、受診者データベース２０６から、評価情報を読み出して組み込むことで生成される。すなわち、受診者データベース２０６から、受診者のかぶせ物の歯の本数とかぶせ物の歯の平均値との差を読み出して、定型文書に組み込む。
定型文書には、かぶせ物の本数の平均値と年齢との関係を示すグラフＧ３が、定型の情報として組み込まれ、受診者の実年齢とかぶせ物の本数の座標位置にマークＰ３が付される。
【０１２３】
図７に示された、今後の目標に関する評価画面３０４の生成
今後の目標に関する評価画面３０４の生成は、予め、記憶部２０４に記憶されている今後の目標画面の定型文書を読み出し、定型文書の各情報入力欄に、受診者データベースから、評価情報を読み出して組み込むことで生成される。すなわち、受診者データベース２０６から、受診者の実年齢から１０年後の歯の寿命進行レベルの平均値の増加点数、平均値の増加点数から２５％減じた増加点数、平均値の増加点数から５０％減じた増加点数、平均値の増加点数から７５％減じた増加点数、を読み出して、定型文書に組み込む。
【０１２４】
次に、受診者端末２０から、診断支援サーバ２００にアクセスする場合について説明する。
受診者についても、診断支援サーバ２００にアクセスして自身の評価画面を閲覧することができる。たとえば、受診者端末２０から、診断支援サーバ２００にアクセスすると、たとえば、評価サイトの初期画面が表示され、受診者の氏名、ＩＤを入力して評価書の要求ボタンを押すと、診断支援サーバ２００が評価書要求を受信し、評価画面生成部２０５が評価画面を生成し、受診者端末２０に評価画面を送信する。評価画面の生成は、医療機関端末１０１からの要求の場合と、同様である。
複数回、診断を受けている場合には、診断日を特定することにより、それぞれの回の評価画面が生成される。
【０１２５】
次に、図１５乃至図２３を参照して、より具体的な評価画面について説明する。
評価画面は、９ページのウェブページから構成される評価書として生成される。印刷物とすることを想定し、説明文、イラスト等を配置して構成される。このうち、第４ページが、図４の歯の年齢に関する評価画面に対応し、第５ページが、図５に対応する喪失歯に関する評価画面に対応し、第６ページが、図６に対応するかぶせ物に関する評価画面に対応する。第８ページが、図７に対応する１０年後の目標に関する評価画面に対応する。同一の構成部分については、同一の符号を付して、内容については、説明を省略するものとする。
【０１２６】
・第１ページ(フロントページ)
図１５は、評価書のフロントページの画面構成を示している。
この第１ページ１００１には、歯の年齢についての説明が表示されている。すなわち、上から順に、タイトルを表示するタイトル表示欄１１１、三世代の人のイラストを表示したイラスト表示欄１１２、歯の年齢についての説明欄１１３が配置されている。
タイトル表示欄１１１には、受診者の氏名が表示される氏名表示欄１１５、診断日が表示される日付表示欄１１６が設けられ、歯の年齢についての説明欄１１３には、診断結果にアクセスできるＱＲコード（登録商標）等の識別コード１１７が表示される。
タイトル表示欄１１１、イラスト表示欄１１２、歯の年齢についての説明欄１１３の説明文、イラスト表示欄１１２は、定型文書であり、診断支援サーバ２００は、記憶部２０４から定型文書を読み出し、受診者データベース２０６から受診者の氏名、診断日の日付を読み出し、氏名表示欄１１５および日付表示欄１１６に組み込んで画面が生成される。
【０１２７】
・第２ページ
図１６は、評価書の第２ページを示している。
第２ページ１００２は、定型文書のみによるページで、上から順に、年齢による歯の状態を説明する説明欄１２１と、虫歯が進行して歯の抜けるまでの歯の寿命のステージを説明する説明欄１２２が、配置されている。
年齢による歯の状態の説明欄１２１には、口腔内の２８本の歯の全体について、歯の状態が、年齢により悪化していく過程を描いた歯の状態説明図１２３が、２０歳、３０歳、４０歳、５０歳、６０歳、７０歳、８０歳と、１０年ごとに表示されている。悪化していく過程は、統計データに基づいて、健全歯、詰め物、かぶせ物、喪失歯の変化として、表示されている。
歯の寿命のステージの説明欄１２２には、一本の歯の寿命ステージのイラスト１２４が表示されている。イラスト１２４は、図３のステージ１〜４の配置を、縦にジグザグ状に変えただけで、内容は同じである。健康な歯はステージ１、詰め物をした歯はステージ２、小さいかぶせ物のある歯はステージ３、神経を失った大きなかぶせ物をした歯はステージ４である。
【０１２８】
・第３ページ
図１７は、第３ページを示している。
第３ページ１００３は、歯の寿命進行レベルについての計算過程を含めて表示している。
この第３ページ１００３は、上から順に、歯の寿命進行レベルの説明表示欄３０１Ａ、歯の寿命進行レベルの計算過程表示欄３０１Ｂ、計算結果の歯の寿命進行レベルを表示する結果表示欄３０１Ｃが、配置されている。
歯の寿命進行レベルの説明表示欄３０１Ａには、歯の寿命進行レベルの説明文と、第２ページと同様の、歯の寿命ステージのイラスト１２４が表示されている。
【０１２９】
計算過程表示欄３０１Ｂには、計算式の形で、健全歯の本数表示欄３１１，詰め物の本数表示欄３１２，かぶせ物の本数表示欄３１３，喪失歯の本数表示欄３１４が縦に配列され、各本数表示欄３１１、３１２，３１３，３１４の右横に、本数に掛ける基準点数０点、１点、２点、３．５点が表示され、さらに、基準点数の右横に、イコールの記号を付して、基準点数０点の健全歯を除き、本数と基準点数の積を表示する形で積表示欄３１５、３１６，３１７が配置されている。
さらに、積表示欄３１５、３１６、３１７をプラスの記号で足し合わせる形で横に配列し、基礎点２点を加えて、右横にイコールの記号を付して、合計点として、寿命進行レベルの点数が表示されてる寿命進行レベル表示欄３１８が配置されている。
さらに、計算過程表示欄３０１Ｂの下の結果表示欄３０１Ｃに、拡大した寿命進行レベル表示欄３１８が配置されている。また、結果表示欄３０１Ｃには、受診日を表示する日付表示欄１１６と、歯科医院の名称を表示する医院名表示欄１３２が設けられている。
【０１３０】
歯の寿命進行レベルについての説明表示欄３０１Ａの説明文およびイラスト、計算過程表示欄３０１Ｂの説明文および計算記号等は定型文書であり、診断支援サーバ２００は、記憶部２０４から定型文書を読み出し、受診者データベース２０６から健全歯、詰め物、かぶせ物及び喪失歯の本数、これらの本数に基準点と掛けた積の値、さらに歯の寿命進行レベル、受診日を読み出して、健全歯の本数表示欄３１１，詰め物の本数表示欄３１２，かぶせ物の本数表示欄３１３，喪失歯の本数表示欄３１４、各積表示欄３１５〜３１７、寿命進行レベル表示欄３１８、日付表示欄１１６に組み込み、画面が生成される。
【０１３１】
・第４ページ
図１８は、第４ページの画面を示している。
この第４ページ１００４は、図４の歯の年齢に関する評価画面に対応するもので、評価情報は同じで、その配置が異なり、説明文、イラストが加えられている。
評価情報の表示欄は、図４と同様に、次の通りである。
・グラフＧ１を表示するグラフ表示欄３２５
・年齢別の歯の寿命進行レベルのデータを表形式の早見表Ｔ１１を表示する早見表表示欄３２６
・歯の寿命進行レベル表示欄３１８
・歯の年齢を表示する歯の年齢表示欄３２１
・歯の年齢と実年齢との差を表示する年齢差表示欄３２２
・理想目標と実年齢との差を表示する年齢差表示欄３２３
【０１３２】
この第４ページ１００４では、図４と異なり、上段にグラフ表示欄３２５が配置され、中段に早見表表示欄３２６と寿命進行レベル表示欄３１８、下段に、歯の年齢表示欄３２１が大きく配置され、その横に、実年齢との年齢差表示欄３２２、理想目標と実年齢との年齢差を表示する年齢差表示欄３２３が、説明文の中に、組み込まれる形で配置されている。
【０１３３】
・第５ページ
図１９は、第５ページの画面を示している。
この第５ページ１００５は、図５の喪失歯に関する評価画面に対応するもので、評価情報は同じで、その配置が異なり、説明文、イラストが加えられている。
評価情報の表示欄は、図５と同様に、次の通りである。
・年齢と喪失歯の関係を示すグラフＧ２を表示するグラフ表示欄３３６、
・年齢別の喪失歯を表形式の早見表Ｔ１２として表示する早見表表示欄３３７、
・受診者の喪失歯の本数を表示する、喪失歯の本数表示欄３３１、
・受診者の喪失歯の本数と平均値との差を表示する喪失歯の差分表示欄３３３、
・受診者の喪失歯の本数と理想目標との差を表示する喪失歯の差分表示欄３３５、
この第５ページの評価画面３０３では、図５と異なり、上段にグラフ表示欄３３６が配置され、中段に早見表表示欄３３７と喪失歯の本数表示欄３３１が配置され、下段に、平均との差の差分表示欄３３３、理想目標との差分表示欄３３５が、並べて大きく配置されている。
【０１３４】
・第６ページ
図２０は、第６ページの画面を示している。
この第６ページ１００６は、図６のかぶせ物の歯に関する評価画面に対応するもので、評価情報は同じで、説明文、イラストが加えられている。
評価情報の表示欄は、図６と同様に、次の通りである。
・受診者のかぶせ物の歯の本数を表示する、かぶせ物の本数表示欄３４１
・年齢と前記かぶせ物の歯の本数の関係のグラフＧ３を表示する、グラフ表示欄３４５
・かぶせ物の歯の本数と平均値との差を表示する差分表示欄３４３
この第６ページの画面では、上段にかぶせ物の本数表示欄３４１が配置され、中段にかぶせ物のグラフ表示欄３４５が配置され、下段に、かぶせ物の歯の本数と平均値との差を表示する差分表示欄３４３が、大きく配置されている。
【０１３５】
・第７ページ
図２１は、第７ページを示している。
第７ページ１００７には、歯の写真画像が表示される。
画面には、中央に歯の前面の写真が表示される前面表示欄３７１を中心に、その上に上顎の歯の写真を表示する上顎写真表示欄３７２、下側に下顎の歯の写真を表示する下顎写真表示欄３７３、左側に、歯の左側の写真を表示する左側面写真表示欄３７４、右側に、歯の右側の写真を表示する右側面写真表示欄３７５が配置されている。
診断支援サーバ２００は、受診者データベース２０６に格納されている写真データを読み出し、前面表示欄３７１、上顎写真表示欄３７２、下顎写真表示欄３７３、左側面写真表示欄３７４、右側面写真表示欄３７５に、組み込んで第７ページの評価画面を生成する。
このように歯の写真を表示することで、健全歯、詰め物、かぶせ物、喪失歯の本数を写真でも確認することができるし、歯茎の状態等の他の疾患についても確認することができる。
【０１３６】
・第８ページ
図２２は、第８ページを示している。
第８ページ１００８は、図７に対応し、歯を長く残すための目標設定の支援のために、歯の寿命進行レベルの１０年後の増加点数が表示された画面である。
画面は、上中下の３段に分かれ、上段には、歯の寿命を延ばすために必要なこととして、歯の寿命進行レベルの増加を減らすことの重要性が、図と共に記載された説明欄３５１が配置され、中段には受診者の実年齢から１０年後の歯の寿命進行レベルの平均値の増加点数の表示欄３５２、下段にコメント欄３５３が配置されている。
説明欄３５１には、図３に示した虫歯の悪化ステージを示すイラスト３５４と、歯周病の悪化状態を示すイラスト３５５と、歯の病気と治療のサイクルを描いたイラスト３５６、表示されている。
増加点数の表示欄３５２には、図７と同様に、以下の４つの表示欄が配置されている。
・１０年後の平均増加点数の表示欄３５２ａ、
・増加点数の２５％減の表示欄３５２ｂ
・増加点数の５０％減の表示欄３５２ｃ
・増加点数の７５％点の表示欄３５２ｄ
【０１３７】
このように、１０年後の歯の寿命進行レベルの増加数を２５％、５０％、７５％減じた増加数を参考にして、受診者と歯科医師とで、数値として、任意の共通目標値を決めることができる。
たとえば、受診者の現在の歯の寿命進行レベルが、平均値より悪い場合、平均値における増加数と同じに推移すれば、１０年経過した時点で、平均値からの差が同じである。平均値における増加数に対して、所定比率減じれば、１０年経過した時点で、平均値との差が縮小、あるいは平均値より小さくすることができる。また、平均値と同じであれば、理想目標に向けて、減点することで、理想曲線に近づけることができる。現在の寿命進行レベルと平均値との乖離度合いを勘案し、受診者と歯科医師との間で、客観的に、数値目標を設定することができる。
【０１３８】
・第９ページ
図２３は、第９ページの画面構成を示している。
第９ページ１００９は最終頁である。このページには、歯の寿命を延ばす意味の説明が表示されている。すなわち、上から下に順番に、説明文記載欄３９１、年齢別の歯の平均本数を表示するグラフ表示欄３９２、歯科医師からのアドバイス表示欄３９３、歯科医院情報表示欄３９４が、配置されている。歯科医院情報表示欄３９４には、診断結果にアクセスするための識別コード１１７が表示されている。
アドバイス表示欄３９３に記入された事項は、診断支援サーバ２００に送られ、受診者データベース２０６に格納される。
また、歯科医院情報表示欄３９４には、歯科医院名、住所、電話等の歯科医院の情報が表示される。この情報は、診断支援サーバ２００が有している歯科医療機関のデータベースから読み出して、自動的に組み込まれる。
【０１３９】
これらの９ページのウェブページは、図示例では、各ページに次ページのボタンが配置され、次ページのボタンをクリックすることで次ページに順番に遷移するようになっているが、各ページに相互にリンクを設定しておけば、任意のページに遷移させることができる。たとえば、すべてのページに目次が出るようにしておけば、任意のページに遷移させることができる。
また、これらのウェブページは、診断書として印刷することができる。さらに、一つの文書ファイルとして、受診者データベースに格納しておいてもよい。
以上説明したように、本発明によれば、簡易に、かつ、より客観的に歯の悪化状態を知ることができ、歯に健康に対する啓蒙、ひいては前進の健康状態の増進を図ることができる。
治療だけでなく、歯の状態を客観的に知ることで自分の健康増進の意識が芽生える。８０２０（８０歳で自身の歯が２０本）を目指すとしても、８０歳にならないと分からない問題であったが、本発明によれば、何歳であっても歯の寿命進行レベルの数値を目標にすれば良いかが分かる。
また歯の本数が多いと医療費全体の削減につながる統計データが各種あるため、国の財政負担が減る。また歯だけでなく受診者の体の健康にもつながる。
【０１４０】
なお、上記した、第１の近似式（１１），第２の近似式（１２）、１０歳悪い近似式（２１）、２０歳悪い近似式（２１）は、５歳刻みの年齢階級の中間年齢での歯の寿命進行レベルの平均値の散布図について、２次の多項式近似としているが、多項式近似の次数は、データに応じて適切に選択される。また、多項式近似に限定されず、データに応じて、直線近似、指数近似等を採用してもよい。たとえば、歯の寿命進行レベルについて閾値を定め、閾値よりも低い年齢層と、閾値より高い年齢層に分けて、それぞれの年齢層で、年齢と歯の寿命進行レベルとを直線近似とした複数の近似式を設定することができる。また、直線近似式と多項式近似式の組み合わせとすることもできる。
また、第３の近似式（１３），第４の近似式（１４）については、５歳刻みの年齢階級の中間年齢での喪失歯の平均本数の散布図について、４次の多項式近似としているが、第１の近似式（１１），第２の近似式（１２）と同様に、多項式近似の次数は、データに応じて適切に選択される。また、多項式近似に限定されず、データに応じて、直線近似、指数近似としてもよいし、複数の直線近似式、あるいは直線近似式と多項式近似式との組み合わせとすることもできる。
また、第５の近似式（１５）については、５歳刻みの年齢階級の中間年齢でのかぶせ物の平均本数の散布図について、６次の多項式近似としているが、やはり、第１の近似式（１１），第２の近似式（１２）と同様に、多項式近似の次数は、データに応じて適切に選択される。また、多項式近似に限定されず、データに応じて、直線近似、指数近似としてもよいし、複数の直線近似式、あるいは直線近似式と多項式近似式との組み合わせとすることもできる。
また、上記実施の形態の厚生労働省の「歯科疾患実態調査」は平成２８年度版であり、新しい「歯科疾患実態調査」が出た場合、健全歯の本数、詰め物の本数、かぶせ物の本数
の平均値、これらのデータから求めた歯の寿命進行レベルの平均値、第１の近似式（１１）〜第５の近似式（１５）等、第１の近似曲線Ｌ１〜第５の近似曲線Ｌ５、早見表Ｔ１１,Ｔ１２等の指標は、適宜、更新される。その場合には、管理者端末３０から、診断支援
サーバ２００に記憶されているこれらの指標を変更することができる。
【符号の説明】
【０１４１】
１０    歯科医療機関端末（情報端末）
２０    受診者端末（情報端末）
４０    通信ネットワーク
２００    診断支援サーバ（歯の寿命診断支援サーバ）
２０３  入力画面生成部
２０４  記憶部
２０５  評価画面生成部
２０６  受診者データベース
２３０  入力画面
２３１  氏名入力欄、２３２  年齢入力欄、２３３  日付入力欄
２３４ａ  健全歯の本数入力欄
２３４ｂ  詰め物の本数入力欄
２３４ｃ  かぶせ物の本数入力欄
２３４ｄ  喪失歯の本数入力欄
３０２  歯の年齢に関する評価画面、１００４  第４ページ
３１８  歯の寿命進行レベル表示欄
３２１  歯の年齢表示欄
３２２  平均値との年齢差表示欄
３２３  理想目標との年齢差表示欄
３２５  グラフ表示欄、
Ｇ１  グラフ、
Ｌ１  第１の近似曲線（歯の寿命進行レベルの平均値）
Ｌ２  第２の近似曲線（歯の寿命進行レベルの理想目標）
３２６  早見表表示欄、Ｔ１１  早見表
３０３  喪失歯に関する評価画面、１００４  第５ページ
３３１    喪失歯の本数表示欄
３３３    平均値との差分表示欄
３３５    理想目標との差分表示欄
３３６    グラフ表示欄、
Ｇ２  グラフ、
Ｌ３  第３の近似曲線（喪失歯の本数の平均値の近似曲線）
Ｌ４  第４の近似曲線（喪失歯の本数の理想目標の近似曲線）
３３７    早見表表示欄、Ｔ１２  早見表
３０４  かぶせ物に関する評価画面、１００６  第６ページ
３４１    かぶせ物の本数表示欄
３４３    平均との差分表示欄
３４５    グラフ表示欄、Ｇ３  グラフ
３０５  歯の寿命進行レベルの増加点数に関する評価画面、１００７  第７ページ
３５２ａ  歯の寿命進行レベルの平均値の10年後の増加点数表示欄
３５２ｂ  増加点数の２５％減の表示欄
３５２ｃ  増加点数の５０％減の表示欄
３５２ｄ  増加点数の７５％減の表示欄
【要約】
【課題】簡易に、かつ、より客観的に歯の状態を知ることができる歯の寿命診断支援サーバ及び歯の寿命診断支援システムを提供する。
【解決手段】情報端末１０に対して、入力画面を表示する入力画面生成部２０３と、評価画面を表示する評価画面生成部２０５と、を有し、入力画面２３０に、複数段階に区分された悪化レベルに対応する受診者の歯の本数を入力する本数入力欄が含まれ、評価画面３０２には、本数入力欄に入力された本数に基づいて予め定められた計算式により算出される歯の寿命進行レベルを表示する寿命進行レベル表示欄３１と、受診者の寿命進行レベルと、厚生労働省の「歯科疾患実態調査」の統計データから算出された年齢別の歯の寿命進行レベルの平均値と、に基づいて算出される歯の年齢を表示する、歯の年齢表示欄３２６、および、前記歯の年齢と実年齢との差を表示する、年齢差表示欄３２２、３２３、が含まれることを特徴とする。
【選択図】図４【図１】
0006888866.tif 000004
【図２】
0006888866.tif 000005
【図３】
0006888866.tif 000006
【図４】
0006888866.tif 000007
【図５】
0006888866.tif 000008
【図６】
0006888866.tif 000009
【図７】
0006888866.tif 000010
【図８】
0006888866.tif 000011
【図９】
0006888866.tif 000012
【図１０】
0006888866.tif 000013
【図１１】
0006888866.tif 000014
【図１２】
0006888866.tif 000015
【図１３】
0006888866.tif 000016
【図１４】
0006888866.tif 000017
【図１５】
0006888866.tif 000018
【図１６】
0006888866.tif 000019
【図１７】
0006888866.tif 000020
【図１８】
0006888866.tif 000021
【図１９】
0006888866.tif 000022
【図２０】
0006888866.tif 000023
【図２１】
0006888866.tif 000024
【図２２】
0006888866.tif 000025
【図２３】
0006888866.tif 000026
【図２４】
0006888866.tif 000027